(57)【要約】【課題】ＨＤＤの内部に塵埃捕集フィルターを配置しＨＤＤの内部で発生する塵埃を捕集する構成においても、ＨＤＤの内部空間が広く、塵埃捕集フィルターを用いてＨＤＤの内部の塵埃をすべて捕集するまでに時間がかかりすぎること、ドライブ内部の空間がひろくかつ構成部品が多数存在するため空気の流れによどみが発生するためドライブ内部の空間のすべての塵埃を捕集することが困難となるなどの課題がある。【解決手段】密閉空間の内部に塵埃捕集フィルターを配置し、情報記録媒体の回転に伴い気流循環促進壁と情報記録媒体の間に流速の速いエアーフローを発生させ、密閉空間なの内部で発生したエアーフロー内の塵埃も短時間で高精度に捕集することで情報記録媒体およびヘッドの表面に塵埃が付着することを非接触で防止する構成としている。さらに、気流循環促進壁の外周付近から内周付近に気流を再循環させる気流フィードバック経路を配置することで塵埃を含んだ気流が循環しにくい外周付近の気流を再循環させる構成としている。【選択図】図８
2015035237.tif 000002
【特許請求の範囲】
【請求項１】
記録又は再生の少なくともいずれかが行われる光学的な記録再生面を有する情報記録媒体と、前記情報記録媒体を保持して回転駆動する駆動手段と、光束を出射する光源と、前記情報記録媒体の記録再生面に対向して近接配置され前記光源からの光束を用い記録又は再生を行う記録素子および再生素子と、前記記録および再生素子を保持するサスペンションと、前記サスペンションを前記情報記録媒体の記録再生面上で回動させる回動モータと、前記情報記録媒体の回転により発生する気流の流路を制限する気流循環促進壁とを有し、前記密閉空間の内部で前記情報記録媒体の回転により発生する気流を循環させるとともに、前記密閉空間の内部に前記情報記録媒体と前記回動モータと前記サスペンションと前記記録および再生素子と前記駆動手段を包囲する構成とするとともに、前記気流循環促進壁における前記情報記録媒体の外周付近または前記密閉空間の周辺部分から前記情報記録媒体の中心部分に気流フィードバック経路を設けたことを特徴とするディスク記録再生装置の防塵装置およびディスク記録再生装置。
【請求項２】
記録又は再生の少なくともいずれかが行われる光学的な記録再生面を有する情報記録媒体と、前記情報記録媒体を保持して回転駆動する駆動手段と、光束を出射する光源と、前記情報記録媒体の記録再生面に対向して近接配置され前記光源からの光束を用い記録又は再生を行う記録素子および再生素子と、前記記録および再生素子を保持するサスペンションと、前記サスペンションを前記情報記録媒体の記録再生面上で回動させる回動モータと、前記回動モータを保持するモータベースと、前記情報記録媒体の回転により発生する気流の流路を制限する気流循環促進壁とを有し、前記気流循環促進壁と前記モータベースの一部とを密接させることにより前記気流循環促進壁および前記モータベースから構成される空間密閉を構成し、前記密閉空間の内部で前記情報記録媒体の回転により発生する気流を循環させるとともに、前記密閉空間の内部に前記情報記録媒体と前記回動モータと前記サスペンションと前記記録および再生素子と前記駆動手段を包囲する構成とするとともに、前記気流循環促進壁における前記情報記録媒体の外周付近または前記密閉空間の周辺部分から前記情報記録媒体の中心部分に気流フィードバック経路を設けたことを特徴とするディスク記録再生装置の防塵装置およびディスク記録再生装置。
【請求項３】
記録又は再生の少なくともいずれかが行われる磁気記録再生面を有する情報記録媒体と、前記情報記録媒体を保持して回転駆動する駆動手段と、前記情報記録媒体の磁気記録再生面に対向して近接配置され磁気を用いて記録または再生を行う記録素子および再生素子と、前記記録および再生素子を保持するサスペンションと、前記サスペンションを前記情報記録媒体の磁気記録再生面上で回動させる回動モータと、前記回動モータを保持するモータベースと、前記情報記録媒体の回転により発生する気流の流路を制限する気流循環促進壁とを有し、前記気流循環促進壁と前記モータベースの一部とを密接させることにより前記気流循環促進壁および前記モータベースから構成される空間密閉を構成し、前記密閉空間の内部で前記光情報記録媒体の回転により発生する気流を循環させるとともに、前記密閉空間の内部に前記光情報記録媒体と前記回動モータと前記サスペンションと前記記録および再生素子と前記駆動手段を包囲する構成とするとともに前記情報記録媒体の外周付近または前記密閉空間の周辺部分から前記情報記録媒体の中心部分に気流フィードバック経路を設けたことを特徴とするディスク記録再生装置の防塵装置およびディスク記録再生装置。
【請求項４】
前記気流循環促進壁は６面以上の壁面を有し、少なくとも２つ以上の部品より構成されることを特徴とする請求項１、請求項２および請求項３記載のディスク記録再生装置の防塵装置およびディスク記録再生装置。
【請求項５】
前記気流循環促進壁の接合部および、前記気流循環促進壁と前記モータベースとの接合部に樹脂、ゴムまたはシリコンなどから構成されるシールド材を配置した構成とし、前記密閉空間の密閉性を向上させたことを特徴とする請求項２、請求項３および請求項４記載のディスク記録再生装置の防塵装置およびディスク記録再生装置。
【請求項６】
前記気流循環促進壁の内部に一つ以上配置された塵埃捕集フィルターを有した構成とし、前記情報記録媒体の回転で発生した風の流れを用い前記気流循環促進壁の内部の塵埃を前記塵埃捕集フィルターで捕集することを特徴とする請求項１、請求項２記載および請求項３記載のディスク記録再生装置の防塵装置およびディスク記録再生装置。
【請求項７】
前記塵埃捕集フィルターは、前記気流循環促進壁の内壁に固定され、前記情報記録媒体と可能な限り接近させた構成とする請求項１、請求項２および請求項６記載のディスク記録再生装置の防塵装置およびディスク記録再生装置。
【請求項８】
前記駆動手段は駆動部となるスピンドルモータと前記情報記録媒体を保持するとともに回転部となるハブを有し、キャップおよび固定ねじにより前記情報記録媒体を前記ハブの上面に固定する構成としたことを特徴とする請求項１、請求項２および請求項３記載のディスク記録再生装置の防塵装置およびディスク記録再生装置。
【請求項９】
前記気流循環促進壁の一部分に呼吸フィルターを構成し、前記密閉空間の内部と前記密閉空間の外部との圧力差を低減することを特徴とする請求項２および請求項３記載のディスク記録再生装置の防塵装置およびディスク記録再生装置。
【請求項１０】
前記気流循環促壁の内部に前記サスペンションの保持機構を配置し、前記気流循環促進壁の内部に前記サスペンションの退避機能を有した構成したことを特徴とする請求項１および請求項２記載のディスク記録再生装置の防塵装置およびディスク記録再生装置。
【請求項１１】
前記気流循環促進壁と前記情報記録媒体との距離は２０μｍから５ｍｍの間とした構成とすることを特徴とする請求項請求項１、請求項２および請求項３記載のディスク記録再生装置の防塵装置およびディスク記録再生装置。
【請求項１２】
前記気流循環促進壁の内部に有機ガスを吸収する活性炭および水分を吸収する乾燥剤を有した構成とする請求項１、請求項２および請求項３記載のディスク記録再生装置の防塵装置およびディスク記録再生装置。
【請求項１３】
前記気流フィードバック経路は、前記気流循環促進壁に一箇所またはそれ以上有することを特徴とする請求項１、請求項２記載および請求項３記載のディスク記録再生装置の防塵装置およびディスク記録再生装置。
【請求項１４】
前記気流循環促進壁の一部に塵埃捕集フィルター、活性炭または水分を吸収する乾燥剤を有した構成とすることを特徴とする請求項１、請求項２記載および請求項３記載のディスク記録再生装置の防塵装置およびディスク記録再生装置。
【請求項１５】
前記ディスク記録再生装置の電源をオンした後および電源をオフした後の数秒〜数十秒の間、前記情報記録媒体を高速に回転させ前記気流循環促進壁の内部の塵埃を前記塵埃捕集フィルターで捕集する塵埃浄化モードを有することを特徴とする請求項１、請求項２、請求項３記載のディスク記録再生装置の防塵装置およびディスク記録再生装置。
【発明の詳細な説明】
【技術分野】
【０００１】
本発明は、ＨＤＤ（ハードディスクドライブ装置：Ｈａｒｄ  Ｄｉｓｃ  Ｄｒｉｖｅ）および光ディスクドライブ装置などのディスク記録再生装置の塵埃対策に関する技術であり、ディスク記録再生装置において塵埃を効率的に取り除く防塵装置に関するものである。
【背景技術】
【０００２】
近年の情報化社会の発展にともない、音声や映像の高精細化が進みかつインターネットのデータ通信量も著しく増加している。これにともない、サーバ等に蓄積される電子データ量が増加し、情報記録システムの大容量化が求められている。情報記録装置として、パソコン、レコーダ、カメラなどに装備されているＨＤＤや光ディスクドライブ装置などのディスク記録再生装置は、膨大な情報を蓄積するための高記録密度化が求められている。この高密度化は情報記録媒体（光ディスクまたはハードディスク）の記録ビットサイズの微小化を表している。
【０００３】
光ディスクやハードディスクにおけるディスク記録再生装置の高密度化を達成するためには、情報記録媒体と記録または再生ヘッドの距離を狭めることが必須となる。このとき情報記録媒体と記録または再生ヘッドの距離は数ｎｍ〜数十ｎｍ程度となり、数十ｎｍ〜数μｍの塵埃がディスクと記録または再生ヘッドの間に入り込み、ディスクと記録または再生ヘッドに傷を発生させ、記録再生が困難になってしまう。
【０００４】
ＨＤＤの高密度化を達成するためには、ハードディスクと記録再生ヘッドの距離を狭め、磁気記録媒体の磁性膜の結晶粒径を微細化することが必要である。磁気記録媒体において、結晶粒径を微細化すると、粒子が熱的に不安定になるという熱ゆらぎの問題があり、近年、高密度化における阻害の主要因として顕在化されてきている。結晶粒径を微細化し、熱的な安定を同時に達成するためには、保持力を大きくすることが有効である。保持力の増加により、記録に必要な磁気ヘッド磁界強度の増加が必要となる。しかし、記録ヘッドに使われる磁性材料の物性及び磁気ディスクとヘッドの距離を狭めることに限界があるため、高密度化にともない保持力を増大させることが困難である。上記の問題を解決するために、光記録と磁気記録を融合した光・磁気ハイブリッド記録技術が提案されている。記録時に印加磁界発生と同時に媒体を加熱して、媒体の保持力を低減させる。これによって、従来の磁気ヘッドでは、記録磁界強度が不足して記録が困難であった高保持力の記録媒体にも記録が容易となる。再生は、従来の磁気記録で用いられている磁気抵抗効果を用いる。このハイブリッド記録方法を熱アシスト磁気記録と呼ぶ。ここで、光による加熱方法は、近接場（Ｎｅａｒ  Ｆｉｅｌｄ）を利用する方法が提案されている。近接場を用いた熱アシスト磁気記録技術は、レーザ光源が発生したレーザ光を記録ヘッドに導き、近接場光を発生させる機能を有する素子（以下、近接場光発生素子）を用いて光スポット径を記録に適した大きさと形に変換して使用する。
【０００５】
通常、レーザ光源には、ディスクドライブのパッケージ内で使用する必要性から、レーザ光源の中でも小型で低消費電力の半導体レーザ（レーザダイオードとも記される）が用いられる。Ｔｂ／ｉｎ２（テラバイト／平方インチ）以上の記録密度を実現する近接場を用いた熱アシスト磁気記録装置で使用する用途の場合、記録媒体表面に達するまでには、数ｍＷ程度のパワーが必要となる。
【０００６】
レーザダイオード（以下、ＬＤ）で発生したレーザ光を近接場発生素子に導く光学部品は、反射ミラー、レンズ、光導波路などの光学部品である。ＬＤから発生した光は、光路に配置された光学部品を通過して、近接場発生素子、またその先の記録媒体に到達する。光路を通過する途中に光強度は減衰し、ＬＤの発生した光出力の数十分の一になる。光強度の減衰の主な原因は、光学部品内を通過する時の吸収損失や散乱損失、及び光学部品を接着する時に生じる理想的な位置からのずれに起因する結合損失等である。よって、熱アシスト磁気記録記述において、近接場発生素子に入射するまでの結合損失を小さくした構造が必須となる。
【０００７】
また、ＨＤＤのスライダは、ピコスライダ（Ｐｉｃｏｓｌｉｄｅｒ）からフェムトスライダ（Ｆｅｍｔｏｓｌｉｄｅｒ）へと小型化が進んでいる。また、浮上面は１０ｎｍ程度まで浮上量も小さくなってきている。今後はさらに小型化が進み、浮上面が小さくなることも予想される。
【０００８】
一方、光ディスクドライブ装置においては、近接場光を利用して記録又は再生の少なくともいずれかを行う高密度の光ディスクが提案されている。この光ディスクの記録、再生に用いる近接場光学系としては、例えばソリッドイマージョンレンズ（ＳＩＬ：Ｓｏｌｉｄ  Ｉｍｍｅｒｓｉｏｎ  Ｌｅｎｓ）を用いて対物レンズを構成すると共に、このソリッドイマージョンレンズと光ディスクの表面との距離を、使用する光の波長の１／２以下、１／１０程度まで近接させる制御が行われる構成とする。このような近接場光学系を構成することで、ソリッドイマージョンレンズ（以下ＳＩＬ）と光ディスクとの間で近接場光を発生させ、開口数（ＮＡ）を１以上とする高密度の記録再生が可能となる。
【０００９】
近接場光を用いる光ディスク装置では、光ディスクと、対物レンズ部等の集光素子に設置されるＳＩＬの端面との間のギャップを近接場光が生じる距離（ニアフィールド）に制御する必要がある。レーザ光の短波長化に伴いこのギャップは、数十ｎｍ程度となっている。
【００１０】
このような近接場光が用いられる光ディスクドライブ装置では、ギャップ制御において、光ディスクおよびＳＩＬの端面に付着するゴミや埃等の塵埃が重要な問題となる。
【００１１】
ＳＩＬの端面（以下ＳＩＬ端面）に付着する塵埃としては、空気中に浮遊しているもの（埃や衣服繊維等）、がある。塵埃は、ギャップの目標値より大きい幅（高さ）を有するものが多いため、ＳＩＬの端面の上にダストが付着していると、ギャップ制御が不能になる。
【００１２】
記録または再生用ヘッド、光ディスクおよび光ディスクドライブ装置の製造時にダストを除去することは、ある程度までは可能であるが、完全に除去することは困難である。また、製造時にダストを除去したとしても、その後、光ディスクおよび光ディスクドライブ装置を使用する際に塵埃が付着することがあるため、完全にダストフリーにするのは極めて困難である。
【００１３】
さらに、上述したＨＤＤの次世代技術として微小なスポットサイズの光を用いて高密度磁気記録を行う熱アシスト磁気記録技術と同様に、ＨＤＤおよび光ディスクドライブ装置ともにプラズモン方式が提案されている。
【００１４】
プラズモン方式において高密度記録を達成するためには、光のスポットサイズをより小さくする必要がある。
【００１５】
光のスポットサイズをより小さくするための一つの手法として、導電体に伝播光を照射した際に生じる表面プラズモン共鳴現象を利用する手法が提案されている。この手法では、表面プラズモン共鳴現象により導電体の端部に例えば近接場光等の微小光が生成される。それゆえ、この手法を用いて近接場光を生成することによって、従来の光学系では実現できなかった微小なスポットサイズを有する微小光を光ディスクに照射することが可能となる。
【００１６】
上述した手法において、導電体に表面プラズモン共鳴現象を発生させて近接場光を生成するために、導電体の寸法は、数十ｎｍから数百ｎｍ程度に設定される。また、目的とする記録密度が高くなると、近接場光を発生する導電体の端部の寸法をより微小にする必要があると同時に、導電体と光ディスクとの距離を一層狭くする必要があり。
【００１７】
このように端部が微小な寸法を有する導電体に対して、例えばＬＤ（レーザダイオード）等の光源から出射される光を集光して照射させるために、集積性がよく且つ高い伝播効率を有する光学系も必要となる。
【００１８】
上記のディスク記録再生装置において、情報記録媒体と記録または再生ヘッド間が狭ギャップの場合、情報記録媒体および記録または再生ヘッドに付着する塵埃を低減する必要がある。
【００１９】
情報記録媒体上のゴミを取り除く手段としてはクリーニングテープを有したディスククリーニング機構を具備し、クリーニングテープで直接情報記録媒体表面のゴミをふき取る方法が提案されている（例えば、特許文献１参照）。
【００２０】
また、情報記録媒体上のダストが除去されていても、ＳＩＬ端面にダストが付着している場合には、ギャップ制御ができない。ＳＩＬ端面のゴミを除去する手段として、クリーニングテープを有したレンズクリーニング機構を設け、クリーニングテープを接触させてＳＩＬ端面のゴミを取り除く方式を提案している（例えば、特許文献２参照）。
【００２１】
情報記録媒体の表面およびＳＩＬ端面のクリーンニング機構を設けたことにより、情報記録媒体の表面およびＳＩＬ端面に付着したダストを除去して、適切にギャップ制御を行うことができる。
【００２２】
また、ＨＤＤ内部で発生した塵埃を、情報記録媒体の回転に伴い発生する気流の流れの中に塵埃捕集フィルターを配置することで捕集する構成も提案されている（例えば、特許文献３参照）。塵埃を含んだ気流が塵埃捕集フィルターを通過することで、塵埃捕集フィルターにより塵埃が捕集され、一定時間が経過すればＨＤＤ内部の空気の浄化が進行する。
【００２３】
次に、従来の光ディスク装置の構成（特許文献２）を、図１５、図１６、図１７、図１８および図１９（ａ）、図１９（ｂ）、図１９（ｃ）を用いて説明する。
【００２４】
図１５において、光ディスク装置１１１は、光学ヘッド１２８、サーボ制御系１４０、スピンドルモータ１４８を有する。光学ヘッド１２８は、光源となるレーザダイオード（ＬＤ）１３１、コリメータレンズ１３２及び１４６、レーザ光の整形用のアナモフィックプリズム１３３、ビームスプリッタ（ＢＳ）１３４、１／４波長板（ＱＷＰ）１４３、色収差補正レンズ１４４、レーザビームの拡張用レンズ１４５、ウォラストンプリズム１３５、集光レンズ１３６及び１３８、集光素子１１５、フォトディテクタ（ＰＤ）１３７及び１３９、オートパワーコントローラ１４１、ＬＤドライバ１４２を有する。
【００２５】
ウォラストンプリズム１３５は２つのプリズムでなり、このウォラストンプリズム１３５に入射した光は、互いに直交するような２つの直線偏光として出射する。ＰＤ１３７は光ディスクに記録された信号を再生するためのＲＦ再生信号、サーボ制御に必要なトラッキングエラー信号及びギャップエラー信号等をサーボ制御系１４０に出力する。
【００２６】
サーボ制御系１４０は、後述するギャップサーボモジュール（フォーカシングサーボモジュール）１５１、その他トラッキングサーボモジュール１５２、チルトサーボモジュール１５３、スピンドルサーボモジュール１５４を有する。トラッキングサーボモジュール１５２は、トラッキングエラー信号に基づき集光素子１１５をトラッキング制御する。チルトサーボモジュール１５３は集光素子１１５のチルト角を制御する。スピンドルサーボモジュール１５４はスピンドルモータ１４８の回転を制御する。オートパワーコントローラ１４１は、ＰＤ１３９から出力された信号に基づき、ＬＤ１３１から出力されるレーザパワーが一定になるようにＬＤドライバ１４２に所定の信号を出力する。
【００２７】
次に、この光ディスク装置１１１の光学系を中心とした動作について説明する。例えば記録媒体となる光ディスク１４７が光ディスク装置１１１にセットされる。そうすると、サーボ制御系１４０により各サーボ制御がなされる。一方、ＬＤ１３１から出射されたレーザ光はコリメータレンズ１３２により平行光とされ、アナモフィックプリズム１３３により整形される。ＢＳ１３４に入射したレーザ光は、ＢＳ１３４によりそのままＱＷＰ１４３に入射する光と、集光レンズ１３８へ入射する光とに分割される。集光レンズ１３８に入射したレーザ光は上述のようにオートパワーコントローラ１４１によってレーザ光のパワーが一定に制御される。ＱＷＰ１４３に入射した光は、このＱＷＰ１４３により直線偏光が円偏光とされ、色収差補正レンズ１４４により色収差が補正され、拡張用レンズ１４５及びコリメータレンズ１４６を介して集光素子１１５に入射する。
【００２８】
集光素子１１５に入射したレーザ光は、後述するように光ディスク１４７に近接場光として集光され、光ディスク１４７に信号を記録する。あるいは、光ディスク１４７に近接場光として集光されたレーザ光は、光ディスク１４７に記録された信号を読み出すために、光ディスク１４７に入射し、当該光ディスク１４７からの反射光または回折光を集光素子１１５が受ける。光ディスク１４７からの反射光または回折光は集光素子１１５を介して戻り光としてコリメータレンズ１４６、拡張用レンズ１４５、色収差補正レンズ１４４及びＱＷＰ１４３を介してＢＳ１３４に入射する。ＢＳ１３４で全反射したレーザ光はウォラストンプリズム１３５及び集光レンズ１３６を介してＰＤ１３７に入射する。ＰＤ１３７によりＲＦ再生信号及びサーボ制御信号が得られ、サーボ制御信号はサーボ制御系１４０に入力されて各サーボ制御がなされる。
【００２９】
図１６および図１７は、集光素子１１５と光ディスク１４７とを示した側面図である。集光素子１１５は光ディスク１４７に対向して配置されている。集光素子１１５は、ＳＩＬ１１２と非球面レンズ１１３とがレンズホルダ１１４に収納されて構成されている。ＳＩＬ１１２は、そのＳＩＬ端面１１２ａがディスク１４７の記録面１４７ａに対面して配置されている。レンズホルダ１１４は、離接機構の少なくとも一部を構成する３軸アクチュエータ１１６に設置されている。３軸アクチュエータ１１６は、図においては簡略してあるが、例えば３軸方向のコイル、ヨーク等でなり、各コイルに所定のサーボ電圧での電流が流れることによりトラッキングサーボ、ギャップサーボを含むフォーカシングサーボ及びチルトサーボの制御が行われる。
【００３０】
図１７は、光ディスク装置１１１の一部を示す側面図である。図１８は、図１６に示す光ディスク装置１１１の下側から見た平面図である。光ディスク装置１１１は、ＳＩＬ端面１１２ａに接触して、ＳＩＬ１１２をクリーニングするレンズクリーニング機構１６０と、ディスク１４７の記録面１４７ａに接触して、当該記録面１４７ａをクリーニングするディスククリーニング機構１８０とを備えている。
【００３１】
レンズクリーニング機構１６０は、例えばスピンドルモータ１４８上にセットされた光ディスク１４７の外周側に配置されている。レンズクリーニング機構１６０は、例えば図１９（ａ）に示すように、テープ型のクリーナであり、回転ドラム１６３及び１６４、補助ローラ１６５及び１６６を有する。回転ドラム１６３及び１６４が回転することで、補助ローラ１６５及び１６６に沿ってクリーニングテープ１６１が走行する。クリーニングテープ１６１は、ＳＩＬ１１２が傷つかないような柔らかい樹脂等の材質等でなるが、これに限られない。
【００３２】
集光素子１１５は、このレンズクリーニング機構１６０の位置で昇降可能に構成され、テープ１６１に対してＳＩＬ端面１１２ａが接触したり離れたりする。この昇降駆動の方式としては、例えば上記３軸アクチュエータ１１６（特に、ギャップサーボ用のコイル）による駆動でもよいし、あるいはサーボ系とは別の図示しない駆動機構であってもよい。あるいは、集光素子１１５がレンズクリーニング機構１６０に接近駆動する形態ではなく、レンズクリーニング機構１６０が集光素子１１５に接近駆動する形態も考えられる。
【００３３】
ディスククリーニング機構１８０は、例えば光ディスク１４７の記録面１４７ａに対向して配置されたクリーニング部材１８２及びこれを支持する支持体１８１を有する。支持体１８１は図示しないモータによって昇降可能に構成されている。クリーニング部材１８２は、例えば光ディスク１４７の半径程度の長さの長尺状でなる。クリーニング部材１８２は、記録面１４７ａに接触して塵埃を除去するものであり、例えば繊維状またはメッシュ状で、記録面１４７ａに傷が付かないような材質が用いられるが、これに限られない。例えばレンズペーパ等の材質と同じでよい。
【００３４】
図１９において、光ディスク１４７が光ディスク装置１１１に装填されると、レンズクリーニング機構１６０によりＳＩＬ１１２がクリーニングされる。具体的には、例えば図１９（ａ）に示すようにテープ１６１から離れた位置にあったＳＩＬ１１２が、図１９（ｂ）に示すようにテープ１６１に接触してテープ１６１が走行する。これにより、ＳＩＬ端面１１２ａに付着した塵埃が除去される。クリーニングが終了すると図１９（ｃ）に示すようにテープ１６１からＳＩＬ１１２が離れ、ＳＩＬ１１２のクリーニング動作が終了する。
【００３５】
また、従来のＨＤＤの概要（特許文献３）を図２０、図２１および図２２を用いて説明する。図２０はＨＤＤの平面図を示したもので、図２１はＨＤＤにおける磁気ヘッドのアンローディング過程を示す部分斜視図、図２２は、図２１に示す磁気記録媒体の一部分を示す拡大平面図である。
【００３６】
図２０、図２１および図２２において、ＨＤＤ２００は、ベース部材２０１とベース部材２０１に結合されたカバー部材（図示せず）とから構成されたハウジング内にスピンドルモータ２０５、磁気記録媒体２１０、ＨＳＡ２２０、ボイスコイルモータ２１８を備える。
【００３７】
磁気記録媒体２１０を回転させるスピンドルモータ２０５は、ベース部材２０１に固設される。スピンドルモータ２０５に結合されて高速回転する磁気記録媒体２１０は、データが記録される記録区域２１１と、記録区域２１１の外側に設けられた非記録区域２１２とを備える。
【００３８】
ＨＳＡ２２０は、データの記録および再生を行う磁気ヘッド（図示せず）が搭載されたスライダー２４５を備え、スライダー２４５を磁気記録媒体２１０上の所定位置に移動させて磁気記録媒体２１０への記録および再生を行う。
【００３９】
また、スイングアーム２２１とスイングアーム２２１の先端部に固設されたサスペンション２２３と、サスペンション２２３の先端部に装着されたスライダー２４５とを備える。
【００４０】
サスペンション２２３は、スイングアーム２２１の先端部に結合されたロードビーム２２４と、スライダー２４５を装着する湾曲部（ｆｌｅｘｕｒｅ）２２６とを備え、スライダー２４５を磁気記録媒体２１０の表面に付勢するように支持する。湾曲部２２６がロードビーム２２４から湾曲部２２６側に突設したディンプル２２８に接触して支持されることで、湾曲部２２６に装着されたスライダー２４５は、ロードビーム２２４に対して微細に搖動できる。ロードビーム２２４の先端部には、スライダー２４５の保持状態の時にランプ２５０に接触して支持されるエンドタップ２３０が設けられる。エンドタップ２３０のランプ２５０と対向する面には、ランプ２５０との接触面積を小さくすることで、摩耗を減らす凸突起２３１が設けられる。
【００４１】
磁気記録媒体２１０がベース部材２０１上で高速回転すると、スライダー２４５に対して揚力が作用する。スライダー２４５は、スライダー２４５を磁気記録媒体２１０側に加圧するサスペンション２２３の弾性力と、揚力とが平衡する高さで浮揚状態を維持する。このような浮揚状態において、スライダー２４５に搭載された磁気ヘッド（図示せず）は、磁気記録媒体２１０の記録区域２１１からデータを記録または再生する。
【００４２】
ベース部材２０１に固設されたボイスコイルモータ（以下ＶＣＭ）２１８は、ＨＳＡ２２０に回転力を伝達する。ＶＣＭ２１８は、ＨＳＡ２２０に結合されるＶＣＭコイル２３７の上側および下側に各々に配置されるマグネット２１８ａと、マグネット２１８ａを支持するヨーク２１８ｂとを備える。ＶＣＭ２１８は、サーボ制御システムにより制御され、ＶＣＭコイル２３７に入力される電流とマグネット２１８ａにより形成された磁場との相互作用により、フレミングの左手法則に従う方向にＨＳＡ２２０を回転させる。
【００４３】
ＨＤＤ２００の作動が停止すると、ＶＣＭ２１８がＨＳＡ２２０を時計回りに回転させるので、スライダー２４５は、磁気記録媒体２１０の記録区域２１１上に位置するローディング状態からランプ２５０側に移動してアンローディング状態となる。一方、ＨＤＤ２００の作動が開始すると、ＶＣＭ２１８がＨＳＡ２２０を反時計回りに回転させるので、スライダー２４５は、ランプ２５０に保持されたアンローディング状態からデータ記録媒体２１０の記録区域２１１上に位置するローディング状態となる。
【００４４】
スライダー２４５がランプ２５０に保持された状態において、ＨＤＤ２００に外部衝撃や振動が与えられると、ＨＳＡ２２０が不必要に回転し、スライダー２４５および情報記媒体２１０が相互間の接触により損傷する場合がある。したがって、スライダー２４５がランプ２５０に保持された状態において、ＨＳＡ２２０が不必要に回転しないように一定位置にロックされる必要があり、このためにＨＤＤ２００はラッチ２１９を備える。
【００４５】
ベース部材２０１の一コーナー部には、ＨＳＡ２２０に連結されたＦＰＣ２１６をベース部材２０１の下方に配置された主回路基板（図示せず）に接続するＦＰＣブラケット２１５が設けられる。一方、一コーナー部の対角線方向に位置する他コーナー部には、ＨＤＤ２００の内部を流動する空気中に含まれた微粒子などの異物をフィルタリングする塵埃捕集フィルター２０７が設けられる。
【００４６】
塵埃捕集フィルター２０７の捕集効率（塵埃を含んだ気流が、１回通過毎に捕集する塵埃の割合）は、例えば１００ｎｍの直径を有した塵埃のサイズに対して数％から１００％におよび、その捕集効率は塵埃捕集フィルター２０７の圧力損失（フィルターの粗さ）に大きく依存する。
【００４７】
磁気記録媒体２１０が回転することで気流が発生し、ＨＤＤ内部で発生した塵埃を含んだ気流が磁気記録媒体２１０の回転数に応じた流速で塵埃捕集フィルター２０７を通過する。
【００４８】
この時、塵埃捕集フィルター２０７の捕集効率に応じて気流に含まれる塵埃を捕集することとなる。
【００４９】
一般的には、ＨＤＤ内部の塵埃の数を１／１０程度に低減するためには、捕集効率が５０％（１００ｎｍの塵埃を一回の通過毎に５０％捕集する）の塵埃捕集フィルター２０７を用いてかつ磁気記録媒体の回転速度を数千回転としても数十秒から数分かかる。このとき、塵埃の数が１／１０となる捕集時間は、塵埃捕集フィルター２０７の位置にも大きく依存するが、一般的には磁気記録媒体２１０の側面に塵埃捕集フィルター２０７が配置されることが多いため磁気記録媒体２１０の回転により発生する気流の流速は磁気記録媒体２１０の表面の流速に比べ大幅に低下するため、塵埃の捕集時間は長くなる。
【００５０】
ＨＤＤ２００の作動停止時にスライダー２４５が保持されるランプ２５０は、磁気記録媒体２１０の外縁側に設けられ、ベース部材２０１に固設される。ランプ２５０は、エンドタップ２３０が磁気記録媒体２１０の外縁側（磁気記録媒体２１０から離間する方向）に移動するほどエンドタップ２３０が磁気記録媒体２１０の表面から離隔するようにする傾斜面２５２と、エンドタップ２３０が停止するエンドタップ停止面２５５とを備える。また、エンドタップ２３０がエンドタップ停止面２５５に停止した状態で、保持されたスライダー２４５を支持するスライダー支持面２５７と、外部衝撃や振動を与えられてもエンドタップ２３０がエンドタップ停止面２５５から離脱しないようにする離脱防止壁２５６とを備える。
【００５１】
磁気記録媒体２１０の非記録区域２１２は、傾斜面２５２が形成されたランプ２５０の端部と重なり、磁気記録媒体２１０の外縁部に設けられて微細バンプ２１３が形成されたバンプ領域２１２ｂと、記録区域２１１とバンプ領域２１２ｂとの間に設けられた境界領域２１２ａとを含む。境界領域２１２ａとバンプ領域２１２ｂとは、磁気記録媒体２１０の回転中心を同心とする所定幅の環状領域として形成される。
【００５２】
図２２に示すように、微細バンプ２１３は、磁気記録媒体２１０の表面にレーザー光を照射して表面を膨張させて形成される。レーザー光の波長、照射量に応じて多様な形態の微細バンプ２１３が形成されるが、高さｈが０．１μｍ以下の微細バンプ２１３が形成されるようにレーザー光を照射することが望ましい。
【００５３】
ＨＤＤ２００の作動が停止すると、スライダー２４５のアンローディングのためにＨＳＡ２２０が時計回りに回転し、スライダー２４５が情報記録媒体２１０の記録区域２１１から非記録区域２１２に移動される。スピンドルモータ２０５が停止すると、磁気記録媒体２１０の回転速度が０に収束してスライダー２４５の揚力が減少するが、バンプ領域２１２ｂに形成された微細バンプ２１３の作用によって、非記録区域２１２では、スライダー２４５をデータ記録媒体２１０の表面に引きつける吸着力が増加しない。
【００５４】
より詳しくは、情報記録媒体２１０の表面に対向するスライダー２４５の面には、スライダー２４５を情報記録媒体２１０の表面から離隔させる方向に作用する正圧と、逆方向に作用する負圧とが発生し、正圧と負圧との合力がスライダー２４５の揚力を形成する。ここで、負圧は、データ記録媒体２１０の表面粗度が高くなるほど減少することが知られている。したがって、バンプ領域２１２ｂに形成された微細バンプ２１３の作用によって、スライダー２４５をデータ記録媒体２１０の表面に引きつける吸着力の増加が抑制される。
【００５５】
吸着力の低下によって、ＨＳＡ２２０のエンドタップ２３０は、微粒子の発生が抑制される適切な速度でランプ２５０の傾斜面２５２に衝突し、傾斜面２５２に沿って移動してエンドタップ停止面２５５に停止し、スライダー２４５は、スライダー支持面２５７に定着される。
【先行技術文献】
【特許文献】
【００５６】
【特許文献１】特開２００４−３０８２１号公報
【特許文献２】特開２００７−１２１２６号公報
【特許文献３】特開２００７−８７５７２号公報
【発明の概要】
【発明が解決しようとする課題】
【００５７】
ＳＩＬ端面に付着した塵埃を除去する場合、クリーニングテープをＳＩＬ端面に直接接触させてふき取ろうとすると、ＳＩＬ端面にキズがつく、クリーニングテープに付着した塵埃が再びＳＩＬ端面に接触してしまう、あるいはクリーニングテープを常に未使用状態とするために巻き取り方式等を構成してもふき取り回数に制限がある、さらにはこのようなＳＩＬ表面の塵埃のふき取り機構やクリーニングテープの巻き取り機構は設置スペースを必要とするため光ディスク設備のサイズが大きくなってしまうという問題点を有していた。
【００５８】
同様に、情報記録媒体に付着した塵埃あるいはヘッド表面に付着した塵埃を接触状態で除去する場合、情報記録媒体およびヘッド表面にキズが発生し、記録および再生特性が大幅に悪化する。
【００５９】
また、ＨＤＤの内部に塵埃捕集フィルターを配置しＨＤＤの内部で発生する塵埃を捕集する構成においても、ＨＤＤの内部空間が広く、塵埃捕集フィルターを用いてＨＤＤの内部の塵埃をすべて捕集するまでに時間がかかりすぎること、ドライブ内部の空間がひろくかつ構成部品が多数存在するため空気の流れによどみが発生するためドライブ内部の空間のすべての塵埃を捕集することが困難となるなどの課題がある。
【００６０】
さらに、磁気記録媒体の表面の直近（流速が速いところ）と磁気記録媒体の表面から離れたところ（流速の遅いところ）との流速差が大いため、塵埃捕集フィルターを置く位置により塵埃の集塵効率が大きく変化するなどの課題がある。
【００６１】
一方、ＨＤＤ内部に発生する塵埃は、スライダ２４５と磁気記録媒体２１０との接触、凸突起２３１とランプ２５０との接触、スピンドルモータ２０５の流体軸受け部のオイルの蒸発、ＶＣＭ２１８の軸受け部の摺動、接着剤およびグリス等の蒸発などにより発生し、そのサイズは数十ｎｍから数μｍとなる。
【００６２】
磁気記録媒体２１０の回転時にスライダ２４５の浮上量は数ｎｍから数十ｎｍであるため、集塵効率が低下しＨＤＤ内部に存在する数十ｎｍから数μｍの塵埃が、磁気記録媒体２１０の回転時に気流により磁気記録媒体２１０とスライダ２４５の間に噛みこむ確率が上がることにより、磁気記録媒体２１０の表面に傷または欠陥が発生し、記録および再生が困難となる。さらには、スライダ２４５の浮上姿勢が大きく変化し、湾曲部（ｆｌｅｘｕｒｅ）２２６が変形することで、スライダ２４５の内部に組み込まれた磁気ヘッド部分（図示せず）の破壊（クラッシュ）につながることとなり、ＨＤＤの信頼性および記録再生能力大幅に低下することとなる。
【００６３】
本発明は、上記の課題に鑑みて提案されたものであり、情報記録媒体およびヘッドの表面に塵埃が付着しない構成を非接触で実現するために、情報記録媒体、記録再生ヘッドおよび可動メカ部分をすべて密閉された気流循環促進壁の内部に収納し、気流循環促進壁の内部に配置した塵埃捕集フィルターで気流循環促進壁の内部に発生する塵埃をすべて捕集することで安定した記録再生が可能となり、信頼性の高いディスク記録再生装置を提案するものである。
【００６４】
また、気流循環促進壁の内部空間を出来るだけ小さくすることで、短時間に発生した塵埃を塵埃捕集フィルターで捕集することが可能となり、記録および再生エラー、記録および再生ヘッドのクラッシュが少ない、一層安定した記録再生能力を有した、信頼性の高いディスク記録再生装置を実現するものである。
【課題を解決するための手段】
【００６５】
記録又は再生の少なくともいずれかが行われる光学的な記録再生面を有する情報記録媒体と、前記情報記録媒体を保持して回転駆動する駆動手段と、光束を出射する光源と、前記情報記録媒体の記録再生面に対向して近接配置され前記光源からの光束を用い記録又は再生を行う記録素子および再生素子と、前記記録および再生素子を保持するサスペンションと、前記サスペンションを前記情報記録媒体の記録再生面上で回動させる回動モータと、前記情報記録媒体の回転により発生する気流の流路を制限する気流循環促進壁とを有し、前記密閉空間の内部で前記情報記録媒体の回転により発生する気流を循環させるとともに、前記密閉空間の内部に前記情報記録媒体と前記回動モータと前記サスペンションと前記記録および再生素子と前記駆動手段を包囲する構成とするとともに、前記気流循環促進壁における前記情報記録媒体の外周付近または前記密閉空間の周辺部分から前記情報記録媒体の中心部分に気流フィードバック経路を設けた構成としている。
【００６６】
本構成により、気流循環促進壁の内部の気流の速度を速めて気流の循環を大幅に促進することができるとともに、気流循環促進壁の外部で発生した塵埃が気流循環促進壁の内部に侵入しにくくなるため、気流循環促進壁の内部の塵埃の量を大幅に低減することが可能となり、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【００６７】
記録又は再生の少なくともいずれかが行われる光学的な記録再生面を有する情報記録媒体と、前記情報記録媒体を保持して回転駆動する駆動手段と、光束を出射する光源と、前記情報記録媒体の記録再生面に対向して近接配置され前記光源からの光束を用い記録又は再生を行う記録素子および再生素子と、前記記録および再生素子を保持するサスペンションと、前記サスペンションを前記情報記録媒体の記録再生面上で回動させる回動モータと、前記回動モータを保持するモータベースと、前記情報記録媒体の回転により発生する気流の流路を制限する気流循環促進壁とを有し、前記気流循環促進壁と前記モータベースの一部とを密接させることにより前記気流循環促進壁および前記モータベースから構成される空間密閉を構成し、前記密閉空間の内部で前記情報記録媒体の回転により発生する気流を循環させるとともに、前記密閉空間の内部に前記情報記録媒体と前記回動モータと前記サスペンションと前記記録および再生素子と前記駆動手段を包囲する構成とするとともに、前記気流循環促進壁における前記情報記録媒体の外周付近または前記密閉空間の周辺部分から前記情報記録媒体の中心部分に気流フィードバック経路を設けた構成としている。
【００６８】
本構成により、気流循環促進壁の内部を密閉することにより、気流循環促進壁の外部で発生した塵埃が気流循環促進壁の内部に侵入することがなくなるため、気流循環促進壁の内部の塵埃の量を大幅に低減することが可能となり、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【００６９】
また、前記情報記録媒体が回転した際の前記気流循環促進壁で構成された前記密閉空間内の圧力分布は、前記情報記録媒体の略中心付近の圧力が比較的低く、前記情報記録媒体の外周付近が比較的高くなる。一方密閉空間内の流速は、前記情報記録媒体の外周部で前記回動モータが位置する付近は気流の速度が最も遅い領域となる。したがって比較的圧力が高い領域から比較的圧力が低い領域へ前記気流フィードバック経路を構成することで、前記密閉空間内の気流の循環が大きく促進され、その結果として、前記密閉空間の内部の気流の速度が増加する。
【００７０】
従って、前記気流循環促進壁における前記情報記録媒体の外周付近または前記密閉空間の周辺部分から前記情報記録媒体の中心部分に気流フィードバック経路を設けた構成とすることにより、前記気流促進壁の周辺部分の流速が遅い場所で流れが停滞し塵埃を比較的多く含んだ澱んだ空気を前記気流フィードバック経路により情報記録媒体の中心付近に効率よく循環させることができ、再び前記情報記録媒体の中心部から外周部に向かう気流に合流させることで、気流の流速を速めることができ、外部からの塵埃の浸入がなく、かつ前記密閉空間の内部の気流の循環が促進されるため、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【００７１】
望ましくは、記録又は再生の少なくともいずれかが行われる磁気記録再生面を有する情報記録媒体と、前記情報記録媒体を保持して回転駆動する駆動手段と、前記情報記録媒体の磁気記録再生面に対向して近接配置され磁気を用いて記録または再生を行う記録素子および再生素子と、前記記録および再生素子を保持するサスペンションと、前記サスペンションを前記情報記録媒体の磁気記録再生面上で回動させる回動モータと、前記回動モータを保持するモータベースと、前記情報記録媒体の回転により発生する気流の流路を制限する気流循環促進壁とを有し、前記気流循環促進壁と前記モータベースの一部とを密接させることにより前記気流循環促進壁および前記モータベースから構成される空間密閉を構成し、前記密閉空間の内部で前記光情報記録媒体の回転により発生する気流を循環させるとともに、前記密閉空間の内部に前記光情報記録媒体と前記回動モータと前記サスペンションと前記記録および再生素子と前記駆動手段を包囲する構成とするとともに前記情報記録媒体の外周付近または前記密閉空間の周辺部分から前記情報記録媒体の中心部分に気流フィードバック経路を設けた構成としている。
【００７２】
本構成により、ＨＤＤのような磁気記録再生面を有する記録再生方式のディスク記録再生装置においても気流循環促進壁の内部を密閉することにより、気流循環促進壁の外部で発生した塵埃が気流循環促進壁の内部に侵入することがなくなるため、気流循環促進壁の内部の塵埃の量を大幅に低減することが可能となり、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【００７３】
また、ＨＤＤのような磁気記録面を有した前記情報記録媒体が回転した際も、前記気流循環促進壁で構成された前記密閉空間内の圧力分布は、前記情報記録媒体の略中心付近の圧力が比較的低く、前記情報記録媒体の外周付近が比較的高くなる。一方密閉空間内の流速は、前記情報記録媒体の外周部で前記回動モータが位置する付近は気流の速度が最も遅い領域となる。したがって比較的圧力が高い領域から比較的圧力が低い領域へ前記気流フィードバック経路を構成することで、前記密閉空間内の気流の循環が大きく促進され、その結果として、前記密閉空間の内部の気流の速度が増加する。
【００７４】
従って、前記気流循環促進壁における前記情報記録媒体の外周付近または前記密閉空間の周辺部分から前記情報記録媒体の中心部分に気流フィードバック経路を設けた構成とすることにより、前記気流促進壁の周辺部分の流速が遅い場所で流れが停滞し塵埃を比較的多く含んだ澱んだ空気を前記気流フィードバック経路により情報記録媒体の中心付近に効率よく循環させることができ、再び前記情報記録媒体の中心部から外周部に向かう気流に合流させることで、気流の流速を速めることができ、外部からの塵埃の浸入がなく、かつ前記密閉空間の内部の気流の循環が促進されるため、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【００７５】
望ましくは、前記気流循環促進壁は６面以上の壁面を有し、少なくとも２つ以上の部品より構成されている。
【００７６】
この構成により前記気流循環促進壁、ディスク記録再生装置の防塵装置およびディスク記録再生装置を容易に組み立てることが可能となり、部品構成の簡単なディスク記録再生装置の防塵装置およびディスク記録再生装置を実現できるとともに、ディスク記録再生装置の防塵装置およびディスク記録再生装置の組み立て時間を大幅に短縮することが可能となる。
【００７７】
望ましくは、前記気流循環促進壁の接合部および、前記気流循環促進壁と前記モータベースとの接合部に樹脂、ゴムまたはシリコンなどから構成されるシールド材を配置した構成とする。
【００７８】
この構成により、前記密閉空間の密閉性を一層向上させることが可能となり、前記密閉空間への塵埃の侵入を高精度に防ぐことが可能となり、数十ｎｍの塵埃も遮断することができるため、前記情報記録媒体の回転で発生した風の流れで前記気流循環促進壁の内部の塵埃が前記情報記録媒体と、前記記録または再生素子に付着する確率を大幅に低減することが一層可能となり、信頼性の高いディスク記録再生装置の防塵装置およびディスク記録再生装置を実現することができる。
【００７９】
望ましくは、前記気流循環促進壁の内部に一つ以上配置された塵埃捕集フィルターを有した構成とする。
【００８０】
この構成により、前記気流循環促進壁の内部において、前記情報記録媒体の回転で発生した風の流れおよび前記気流フィードバック経路により増速された風の流れ（気流）を用い前記気流循環促進壁または密閉空間の内部の塵埃を前記塵埃捕集フィルターで捕集することができ、前記気流循環促進壁の内部に存在する塵埃および前記気流循環促進壁の内部で発生した塵埃を精度よくかつ高効率に捕集することができ、前記情報記録媒の回転で発生した風の流れで前記気流循環促進壁の内部の塵埃が前記情報記録媒体と、前記記録または再生素子に付着する確率を大幅に低減することが一層可能となり、信頼性の高いディスク記録再生装置の防塵装置およびディスク記録再生装置を実現することができる。
【００８１】
前記気流循環促進壁または前記密閉空間における前記情報記録媒体の外周付近の流速が遅くなりかつ前記回動モータのような障害物がある領域では、塵埃を含んだ気流が停滞し、前記塵埃捕集フィルターにて塵埃を捕集する効率が大幅に悪化することになるが、前記気流フィードバック経路を設けることにより、前記気流循環促進壁または密閉空間の周辺部で気流が停滞していた部分においても、塵埃を含んだ気流の循環効率を大幅に高めることができるため、前記塵埃捕集フィルターによる塵埃の捕集効率を大幅に高めることができ、捕集時間を大幅に短縮することが可能となるとともに、前記密閉空間の内部で発生した塵埃を捕集する時間も大幅に短縮することが可能となる。
【００８２】
このとき、前記情報記録媒体の回転により発生する気流の、比較的流速の速い位置に前記塵埃捕集フィルターを設置することにより一層、前記気流循環促進壁および密閉空間の内部の塵埃の捕集効率を向上させることが可能となる。
【００８３】
また、前記塵埃捕集フィルターは、前記情報記録媒体の回転数が同じなら中周から外周部に位置したほうが、流速が速くなるためより一層、前記密閉空間の内部の塵埃の捕集効率を向上させることが可能となる。
【００８４】
さらに、前記情報記録媒体と前記気流循環促進壁との距離が狭くなくことにより、前記情報記録媒体と前記気流循環促進壁との間を流れる気流が安定し、前記情報記録媒体の共振が大幅に低減され、前記記録素子または再生素子と前記情報記録媒体との相対距離をナノオーダーで正確に確保することができ、記録素子または再生素子のクラッシュ等の無い信頼性の高いディスク記録再生装置の防塵装置およびディスク記録再生装置を実現することが可能となる。
【００８５】
一方、前記情報記録媒体と前記気流循環促進壁との距離は、前記情報記録媒体の面振れや位置ズレを考慮した上で狭いほうがよい。この構成により前記情報記録媒体と前記気流循環促進壁との間を流れる気流が一層安定し、前記情報記録媒体の共振が大幅に低減され、前記記録素子または再生素子と前記情報記録媒体との相対距離を数ｎｍオーダーで正確に確保することができ、記録素子または再生素子のクラッシュ等の無い信頼性の高いディスク記録再生装置の防塵装置およびディスク記録再生装置を実現することが可能となる。
【００８６】
望ましくは、前記塵埃捕集フィルターは、前記気流循環促進壁の内壁に固定され、前記情報記録媒体と可能な限り接近させた構成とする。
【００８７】
この構成により、前記密閉空間内で前記塵埃捕集フィルターを精度よく、堅剛にかつ容易に固定できる。また、前記塵埃捕集フィルター前記記録媒体との距離を大幅に近接することが可能となるため、前記情報記録媒体の回転により発生する気流の流速の速い空間に前記塵埃捕集フィルターを配置することができ、気流の内部に含まれる塵埃を効率的に前記塵埃捕集フィルターに導くことが可能となり単位時間当たりの捕集の割合（捕集効率）を大幅に向上させることが可能となる。
【００８８】
望ましくは、前記駆動手段は駆動部となるスピンドルモータと前記情報記録媒体を保持するとともに回転部となるハブを有し、キャップおよび固定ねじにより前記情報記録媒体を前記ハブの上面に固定する構成とする。
【００８９】
この構成により前記情報記録媒体を前記ハブにより偏芯および面振れが小さくかつ高さを精度よく保持することが可能となるとともに、前記情報記録媒体をキャップによりハブに押し付けるように挟み込み、ねじの締結力により数Ｋｇｆ〜数十Ｋｇｆの押し付け力で精度よく固定することが可能となる。
【００９０】
また、前記ねじの本数を増やすことにより一層高精度かつ高い押し付け力で全周にわたりバランスよく前記情報記録媒体を前記ハブの上面に固定することが可能となり、前記情報記録媒体の回転時に共振による変位を大幅に低減することができ、共振による前記情報記録媒体と前記記録素子または前記再生素子との衝突を低減することができ、信頼性の高いディスク記録再生装置の防塵装置およびディスク記録再生装置を実現することができる。
【００９１】
望ましくは、前記気流循環促進壁の一部分に呼吸フィルターを構成した構成としている。
【００９２】
この構成により、前記密閉空間の内部と前記密閉空間の外部との圧力差を低減し、圧力差による前記密閉空間および前記気流循環促進壁の変形および前記密閉空間の内部の機構部品の変形を防ぐことで、前記気流循環促進壁の内部の寸法関係を維持することができ、信頼性の高いディスク記録再生装置の防塵装置およびディスク記録再生装置を実現することが可能となる。
【００９３】
また前記呼吸フィルターは、前記塵埃捕集フィルターにくらべ、圧力損失が高く（繊維間隔の密なフィルター）かつ塵埃の捕集効率が高い性能を有し、前気密閉空間の内部の気圧を調整しかつ前記密閉空間の外部からの塵埃の侵入を遮断できる構成としているため、一層信頼性の高いディスク記録再生装置の防塵装置およびディスク記録再生装置を実現することが可能となる。
【００９４】
望ましくは、前記気流循環促進壁の内部に前記サスペンションの保持機構（ランプ）配置し、前記気流循環促進壁の内部に、前記サスペンションの退避機能を有した構成とする。
【００９５】
この構成により、保持機構を含めて前記気流循環促進壁または前記密閉空間の内部に構成することが出来るため、ロード、アンロード時に保持機構と前記サスペンションに形成された接触部（従来例での凸突起２３１）との摩擦により発生する塵埃も、前記塵埃捕集フィルターにより捕集することが可能となり、信頼性の高いディスク記録再生装置の防塵装置およびディスク記録再生装置を実現することが可能となる。
【００９６】
望ましくは、前記気流循環促進壁または前記密閉空間の内部に有機ガスを吸収する活性炭および水分を吸収する乾燥剤を有した構成とする。
【００９７】
この構成により、前記気流循環促進壁または前記密閉空間の内部で発生する有機ガスおよび水分、外部から浸入する水分を吸収することが可能となり、前記情報記録媒体、前記記録素子および前記再生への有機ガスおよび水分の付着を防ぐことが可能となり、記録素子または再生素子のクラッシュ等の無い信頼性の高いディスク記録再生装置の防塵装置およびディスク記録再生装置を実現することが可能となる。
【００９８】
このとき、前記乾燥剤は前記呼吸フィルターと一体にすることで、一層効率よく外部からの水蒸気の侵入を防ぐことが可能となる。
【００９９】
望ましくは、前記気流フィードバック経路は、前前記気流循環促進壁または記密閉空間に一箇所またはそれ以上有する構成とする。
【０１００】
この構成により、前記気流循環促進壁における前記情報記録媒体の外周付近または前記密閉空間（前記気流循環促進壁）の周辺部分から前記情報記録媒体の中心部分に気流フィードバック経路を複数設けた構成とすることができ、前記気流促進壁の周辺部分の流速が遅い場所で流れが停滞し塵埃を比較的多く含んだ澱んだ空気を前記複数の気流フィードバック経路により前記情報記録媒体の中心付近に一層効率よく循環させることが可能となり、再び前記情報記録媒体の中心部から外周部に向かう気流に合流させることで、気流の循環が一層促進され、気流の流速を速めることができ、外部からの塵埃の浸入がなく、かつ前記密閉空間の内部の気流の循環が促進されるため、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【０１０１】
またこの構成により、前記密閉空間の内部において、前記情報記録媒体の回転で発生した風の流れおよび前記気流フィードバック経路により一層増速された風の流れ（気流）を用い前記密閉空間の内部の塵埃を前記塵埃捕集フィルターで捕集することができ、前記密閉空間の内部に存在する塵埃および前記密閉空間の内部で発生した塵埃を一層精度よくかつ高効率にかつ短時間に捕集することができ、前記情報記録媒の回転で発生した風の流れで前記気流循環促進壁の内部の塵埃が前記情報記録媒体と、前記記録または再生素子に付着する確率を大幅に低減することが一層可能となり、信頼性の高いディスク記録再生装置の防塵装置およびディスク記録再生装置を実現することができる。
【０１０２】
さらに、前記密閉空間における前記情報記録媒体の外周付近の流速が遅くなりかつ前記回動モータのような障害物がある領域では、塵埃を含んだ気流が停滞し、前記塵埃捕集フィルターにて塵埃を捕集する効率が大幅に悪化することになるが、前記気流フィードバック経路を複数設けることにより、前記密閉空間の周辺部で気流が停滞していた部分においても、塵埃を含んだ気流の循環効率をさらに高めることができるため、前記塵埃捕集フィルターによる塵埃の捕集効率を大幅に高めることができ、捕集時間を大幅に短縮することが可能となるとともに、前記密閉空間の内部で発生した塵埃を捕集する時間も大幅に短縮することが可能となる。
【０１０３】
望ましくは、前記気流フィードバック経路の一部に塵埃捕集フィルター、活性炭または水分を吸収する乾燥剤を有した構成とする。
【０１０４】
この構成により、前記密閉空間（前記気流循環促進壁）の内部で発生する塵埃、有機ガスおよび水分、外部から浸入する水分を吸収することが可能となり、前記情報記録媒体、前記記録素子および前記再生への塵埃の付着、有機ガスおよび水分の付着を防ぐことが可能となり、記録素子または再生素子のクラッシュ等の無い信頼性の高いディスク記録再生装置の防塵装置およびディスク記録再生装置を実現することが可能となる。
【０１０５】
このとき、前記乾燥剤は前記呼吸フィルターと一体にすることで、一層効率よく外部からの水蒸気の侵入を防ぐことが可能となる。
【０１０６】
望ましくは、前記ディスク記録再生装置の電源をオンした後および電源をオフした後の数秒〜数十秒の間、前記情報記録媒体を高速に回転させ前記密閉空間（前記気流循環促進壁）の内部の塵埃を前記塵埃捕集フィルターで捕集する塵埃浄化モードを有する構成とする。
【０１０７】
この構成により、記録再生動作の前および動作停止の直前に、前記密閉空間の内部の塵埃を大幅に低減することとなり、記録素子または再生素子のクラッシュ、前記情報記録媒体の記録再生エラー、記録素子または再生素子および情報記録媒体にキズが発生し、ディスク記録再生装置の記録再生性能が悪化する確率を大幅に低減する。
【発明の効果】
【０１０８】
本発明の防塵装置およびディスク記録再生装置によれば、情報記録媒体、記録再生ヘッドおよび可動メカ部分をすべて密閉された気流循環促進壁の内部に収納し、気流循環促進壁の内部に配置した塵埃捕集フィルターで気流循環促進壁の内部に発生する塵埃をすべて捕集する構成とすることにより、非接触で信頼性が高くかつ簡素な構成で情報記録媒体およびヘッド表面に塵埃の付着のないクリーンな状況に保つことができ、情報記録媒体およびヘッドの相対距離をｎｍオーダーで安定に保つことが可能となり、安定かつ信頼性の高い記録および再生が可能とするとともに、高性能かつ信頼性の高いディスク記録再生装置の防塵装置およびディスク記録再生装置を実現できる。
【０１０９】
情報記録媒体の表面や記録素子および再生素子の表面に付着した塵埃を除去する構成として、クリーニングテープを用いＳＩＬ端面に直接接触させてふき取る接触式ではなく、簡素な構成かつ、塵埃のふき取り機構やクリーニングテープの巻き取り機構等の設置スペースを必要としないためディスク記録再生装置を大幅に小型化することが可能となる。
【０１１０】
また、情報記録媒体の表面や記録素子および再生素子の表面に塵埃が付着しない構成を非接触で実現するために、情報記録媒体、記録素子および再生素子および可動メカ部分をすべて密閉された気流循環促進壁の内部に収納し、気流循環促進壁の内部に配置した塵埃捕集フィルターで気流循環促進壁の内部に発生する塵埃をすべて捕集することで安定した記録再生が可能となり、信頼性の高いディスク記録再生装置を実現できる。
【０１１１】
具体的には、光ディスクまたは磁気ディスクなどの情報記録媒体と、記録素子および再生素子等のヘッド部分と、スピンドルモータとボイスコイルモータとサスペンションおよびランプ等のメカ部分とをすべて気流循環促進壁の内部に密閉することで、気流循環促進壁の内部の密閉空間に外部から塵埃が侵入することを防ぐことができる。
【０１１２】
また、空気の浄化を行う塵埃捕集フィルターを密閉空間の内部に配置し、気流循環促進壁の内部に配置し、情報記録媒体の回転に伴い気流循環促進壁と情報記録媒体の間に流速の速いエアーフローを発生させ、そのエアーフロー内の塵埃を効率的に捕集することで、情報記録媒体および記録素子および再生素子の表面に塵埃が付着することを非接触で防止する構成とすることで、記録および再生エラー、記録素子および再生素子のクラッシュする確率が少ない、一層安定した記録再生能力を有した、信頼性の高いディスク記録再生装置を実現できる。
【０１１３】
また、気流循環促進壁の内部の密閉空間の容積を可能な限り小さくすることで、短時間で密閉空間の内部で発生した塵埃を塵埃捕集フィルターで捕集することが可能となり、記録および再生エラー、記録素子および再生素子のクラッシュする確率が少ない、一層安定した記録再生能力を有した、信頼性の高いディスク記録再生装置を実現できる。
【０１１４】
さらに、密閉内部の空間容積を可能な限り小さくすることで、空気の流れのよどみを低減することが可能となり塵埃捕集フィルターでの捕集効率を一層向上させることが可能となる。
【０１１５】
また、乾燥剤と活性炭等を密閉空間の内部に配置することで、密閉空間の内部で発生する水分や有機ガスを低減することができるため、記録および再生エラー、記録素子および再生素子のクラッシュする確率が少ない、一層安定した記録再生能力を有した、信頼性の高いディスク記録再生装置を実現できる。
【０１１６】
一方、記録または再生動作の終了時あるいはディスク記録再生装置の停止前に浄化モードを設け塵埃、気流循環促進壁の内部の塵埃を捕集することで、エアーフローがなくなり塵埃が情報記録媒体およびヘッドの表面に落下して付着することを防止できる。
【０１１７】
さらに、記録および再生の動作中においても気流循環促進壁の内部のエアーフロー内の塵埃も効率よく捕集することで情報記録媒体とヘッド間に塵埃が侵入することを防止することができ、一層安定した記録再生能力を有した、信頼性の高いディスク記録再生装置を実現できる。
【０１１８】
また、情報記録媒体の表面の直近（流速が速いところ）と情報記録媒体の表面から離れたところ（流速の遅いところ）との流速差が大いため、情報記録媒体の表面と気流循環促進壁との距離を小さくして気流の流速を早めるとともに、流速の速いところに塵埃捕集フィルターを置くことにより一層塵埃の集塵効率を高めることが可能となる。
【０１１９】
一方、情報記録媒体の表面と気流循環促進壁との距離を小さくすることで、気流の整流効果が増大し、気流の乱れにより誘発される情報記録媒体の共振（ＮＲＲＯ：回転非同期振動）を大幅に低減することが可能となり、情報記録媒体と記録素子および再生素子とのｎｍオーダーの相対距離を安定に保つことができるため、記録および再生エラー、記録素子および再生素子のクラッシュする確率が少ない、一層安定した記録再生能力を有した、信頼性の高いディスク記録再生装置を実現できる。
【０１２０】
さらに、気流循環促進壁における情報記録媒体の外周付近または密閉空間の周辺部分から情報記録媒体の中心部分に気流フィードバック経路を設けた構成とすることにより、気流促進壁の周辺部分の流速が遅い場所で流れが停滞し塵埃を比較的多く含んだ澱んだ空気を前記気流フィードバック経路により情報記録媒体の中心付近に効率よく循環させることができ、再び情報記録媒体の中心部から外周部に向かう気流に合流させることで、気流の流速を速めることができ、外部からの塵埃の浸入がなく、かつ前記密閉空間の内部の気流の循環が促進されるため、前記情報記録媒体の回転で発生した風の流れで前記気流循環促進壁の内部の塵埃が前記情報記録媒体と、前記記録または再生素子に付着する確率を大幅に低減することが可能となり、信頼性の高いディスク記録再生装置の防塵装置およびディスク記録再生装置を実現することができる。
【０１２１】
また、密閉空間の内部において、情報記録媒体の回転で発生した風の流れおよび気流フィードバック経路により増速された風の流れ（気流）を用い密閉空間の内部の塵埃を塵埃捕集フィルターで効率的に捕集することができ、密閉空間の内部に存在する塵埃および密閉空間の内部で発生した塵埃を精度よくかつ高効率に捕集することができ、情報記録媒の回転で発生した風の流れで気流循環促進壁の内部の塵埃が情報記録媒体と、記録または再生素子に付着する確率を大幅に低減することが一層可能となり、信頼性の高いディスク記録再生装置の防塵装置およびディスク記録再生装置を実現することができる。
【図面の簡単な説明】
【０１２２】
【図１】本発明の実施の形態１におけるディスク記録再生装置の構成図の略図
【図２】本発明の実施の形態１におけるディスク記録再生装置の気流循環促進壁の略図
【図３】本発明の実施の形態１における防塵装置の塵埃濃度解析の解析結果
【図４】本発明の実施の形態１おける防塵装置の浄化濃度解析結果
【図５】本発明の実施の形態１おける防塵装置の塵埃捕集フィルターの構成を示した略図
【図６】本発明の実施の形態１におけるディスク記録再生装置の防塵措置の動作を示した構成図
【図７】本発明の実施の形態１における防塵装置を示した略図
【図８】本発明の実施の形態１における防塵装置の気流フィードバック経路を示した略図
【図９】本発明の実施の形態１おけるフィルターの構成を示した略図
【図１０】本発明の実施の形態２おけるディスク記録再生装置の構成を示した略図
【図１１】本発明の実施の形態２におけるディスク記録再生装置の部分的な構成を示した略図
【図１２】本発明の実施の形態３おけるディスク記録再生装置の構成およびその浄化濃度解析結果を示した略図
【図１３】本発明の実施の形態４におけるディスク記録再生装置の部分的な構成を示した略図
【図１４】本発明の実施の形態５における塵埃浄化モードの動作フロ−を示した図
【図１５】従来の光学ヘッドにおける光学ヘッドの光学系の構成図
【図１６】従来の光学ヘッドの部分的な略図
【図１７】従来の光学ヘッドの部分的な略図
【図１８】従来の光ディスク装置の部分的な略図
【図１９】従来の光ディスク装置のクリーニング機構の部分的な略図
【図２０】従来のＨＤＤの構成を示した略図
【図２１】従来のＨＤＤのアンロード機構を示した部分的な斜視図
【図２２】従来のＨＤＤの磁気記録媒体の部分的な略図
【発明を実施するための形態】
【０１２３】
（実施の形態１）
以下本発明の実施の形態について、図１〜図９を参照しながら説明する。
【０１２４】
図１（ａ）および（ｂ）は実施の形態１におけるディスク記録再生装置の部分的な構成を示した略図である。図１（ａ）および（ｂ）において、５０は磁気記録用の情報記録媒体となる磁気ディスク、５１は記録および再生を行う磁気ヘッド、５２は磁気ヘッド５１を保持しかつ磁気ディスク５０の回転で発生する流速で浮上するスライダ、５３はスライダをいわゆるジンバルと呼ばれるやわらかい板バネ構成（図示せず）を介して保持するサスペンション、５４はサスペンションを保持するスイングアーム、５５はスイングアームを磁気ディスク５０の面内で回動させるボイスコイルモータであり回転軸、コイル、マグネット（Ｍｇ）およびヨーク等から構成されている（詳細は図示せず）。また、５６は磁気ヘッド５１に記録信号を供給したり磁気ヘッド５１からの再生信号を伝送するＦＰＣ、５７は磁気ヘッド５１からの再生信号を増幅するヘッドアンプ、５８は回路基板、５９はメカ部品および回路部品を固定するフレームである。
【０１２５】
図２（ａ）および（ｂ）は図１に示したディスク記録再生装置９０の気流循環促進壁３１および磁気ディスク５０のチャッキング構成を示した図である。
【０１２６】
磁気ディスク５０はターンテーブル２５の上面に搭載され、キャップ６０および固定ネジ６１により精度良く固定され、スピンドルモータ２６の回転により数千ｒｐｍの回転数で精度よく回転する。
【０１２７】
気流循環促進壁３１の一部はフレーム５９に保持され位置決めされるとともに、スピンドルモータ２６、ボイスコイルモータ５５は気流循環促進壁３１に精度良く固定される。
【０１２８】
磁気ディスク５０、ボイスコイルモータ５５、スイングアーム５４、サスペンション５３、スライダ５２、磁気ヘッド５１、ターンテーブル２５およびキャップ６０は気流循環促進壁３１の内部に配置され、気流循環促進壁３１、スピンドルモータ２６、モータベース２７およびシールド２８により密閉空間５４としている。このとき、ボイスコイルモータ５５の底部が気流促進壁３１の外部にあり、ボイスコイルモータ５５がフレーム５９に固定される構成でもよい（ただし、２つの部品はシールド剤などで密閉されるものとする）。
【０１２９】
密閉空間の内部にあるスイングアーム５４、サスペンション５３、スライダ５２および磁気ヘッド５１は磁気ディスク５０の表面を回動し、磁気ヘッド５１により磁気ディスク５０に情報を記録したり、磁気ディスク５０に記憶された情報を再生する。
【０１３０】
磁気ヘッド５１およびスライダ５２は磁気ディスク５０の回転により発生する流速により浮上する。浮上量はサスペンション５３等の設計にもよるが、数ｎｍから数十ｎｍ程度となり、スライダ５２および磁気ヘッド５１と磁気ディスク５０の表面との間に塵埃が入り込むと磁気ヘッド５１およびスライダ５２および磁気ディスク５０にキズが発生し、ディスク記録再生装置９０の記録再生性能が大幅に悪化する。
【０１３１】
気流循環促進壁３１、スピンドルモータ２６、モータベース２７およびシールド２８により内部空間を密閉空間５４とすることにより、内部空間（密閉空間５４）の外部から塵埃が入り込むことを防ぐことができ、スライダ５２、磁気ヘッド５０および磁気ディスク５０の間に入り込む塵埃を大幅に低減することができ、磁気ヘッド５１のクラッシュ、磁気ディスク５０の記録再生エラー、磁気ヘッド５１およびスライダ５２および磁気ディスク５０にキズが発生し、ディスク記録再生装置９０の記録再生性能が悪化する確率を大幅に低減する。
【０１３２】
また、気流循環促進壁３１は複数の部品より構成され、その接合部はシールド剤や接着剤で密閉さる。このとき、図２（ａ）に示すような角型でもいいが、磁気ディスク５０と同心円上の形状でもよい。
【０１３３】
一方、３７は塵埃捕集フィルターで、ポリエチレンンやポリプロピレン等の樹脂や静電不織布等から構成され、１００ｎｍ程度の塵埃が一回通過するごとに、約５０％の塵埃捕集効率を有したものである。塵埃捕集フィルター３７の空気の通過部分の樹脂の密集度合いを細かくすると塵埃捕集効率は上がるが、通過前後の圧力差（圧力損失）が大きくなりすぎ逆に空気が塵埃捕集フィルター３７を避けるように流れることになる。塵埃捕集効率は１００％近くまで上げることは可能だが、空気が通らないことにより、逆に密閉空間５４の内部の塵埃の捕集効率が悪化する。
【０１３４】
図３（ａ）、（ｂ）および（ｃ）は図２に述べた気流循環促進壁３１と密閉空間５４と、磁気ディスク５０と塵埃補集フィルター３７を示した図で、密閉空間５４の内部の気流の流れ解析をした結果を示したものである。
【０１３５】
図３（ａ）は流れ解析を行う解析モデルを示し、図３（ｂ）は磁気ディスク５０の表面付近の流速分布を示し、図３（ｃ）はそのときの圧力分布を示したものである。
【０１３６】
図３（ａ）は気流循環促進壁３１で囲まれた密閉空間５４を示した解析モデル図で、図１の気流循環促進壁３１の形状に対して、円形（磁気ディスク５０とほぼ同心円）としている。
【０１３７】
図３（ｂ）は密閉空間５４内の気流の流れを示したもので、磁気ディスク５０の回転に伴い、内周から外周に向けてらせん状に広がっていく様子がわかる。このとき、磁気ディスク５０の内周付近（回転中心）での流速はやや速く、外周に行くに従い流速が速くなる。
【０１３８】
しかしながら、密閉空間５４の外周付近の隅部では、流速は極端に遅くなり、気流がほとんど循環しない澱んだ状態となる。
【０１３９】
図３（ｂ）では、外周付近で約１２ｍ／ｓとし、密閉空間５４の隅ではほとんど０ｍ／２としている。
【０１４０】
図３（ｃ）は密閉空間５４内の圧力分布を示したもので、内周に対して外周は比較的高い圧力分布となっている。
【０１４１】
気流循環促進壁３１を設け磁気ディスク５０に近接して配置することにより、磁気ディスク５０の回転により内周と外周で圧力差が生じ、気流が発生し、密閉空間５４の内部で空気の循環がおこる。圧力は、内周側の圧力が低く、外周側で圧力がやや高くなる。これは磁気ディスク５０の回転によって発生する気流に遠心力が生じたため発生するもので、内周側から（圧力の低い方から）外周側（圧力の高い方）にらせん状に気流が発生する。この気流は、磁気ディスク５０の表面が最も速く、例えば３．５インチの磁気ディスク５０が７０００ｒｐｍで回った場合、磁気ディスク５０の中周付近の表面では、約２０ｍ／ｓの気流となり、内周から外周に向けたらせん状となる。このとき、気流の速度は磁気ディスク５０の表面が最も速く、表面から離れるに従い次第に遅くなる。また、内周から外周に向かうに従い、次第に速くなる。
【０１４２】
気流循環促進壁３１と磁気ディスク５０の距離が短いほど、気流の密閉空間５４の内部の平均速度が高くなるとともに気流循環促進壁３１と磁気ディスク５０の間の気流が整流され安定した流れとなるため磁気ディスク５０に対する制振作用となるため磁気ディスク５０の共振が大幅に低減され、スライダ５２、磁気ヘッド５１と磁気ディスク５０との相対距離を安定して確保することが可能となり、磁気ヘッド５１のクラッシュ、磁気ディスク５０の記録再生エラー、磁気ヘッド５１およびスライダ５２および磁気ディスク５０にキズが発生し、ディスク記録再生装置９０の記録再生性能が悪化する確率を大幅に低減する。
【０１４３】
一方、密閉空間５４の外周付近（隅部）の圧力は内周付近に比べ比較的高い状態となる。
【０１４４】
ここで、図３（ｃ）の圧力表示は、大気圧を基準として（０として）そこからの差をプラスマイナスで表示したもので、内周付近では約−１００Ｐａで外周付近では約＋１００Ｐａとなる。
【０１４５】
図４は図３の解析モデルにおいて、磁気ディスク５０のサイズを３．５インチとし、回転数を７０００ｒｐｍ、塵埃補集フィルター３７の捕集効率を５０％（１００ｎｍ以上のサイズに対して）、気流循環促進壁３１と磁気ディスク５０との間隔を０．５ｍｍとしたときの密閉空間５４の内部の塵埃の浄化時間の計算結果を示した図である。
【０１４６】
循環促進壁３１がない３．５インチのドライブの内部空間における浄化時間は、１０％に浄化する時間は約２２秒となり、かなり浄化時間が必要となる。
【０１４７】
一方、循環促進壁３１を設けた３．５インチのドライブの内部空間における浄化時間は、１０％に浄化する時間は約２．５秒となり、浄化時間を１／１０に大幅に短縮することが可能となる。
【０１４８】
塵埃捕集フィルター３７を密閉空間５４の内部に配置することで、気流の内部に存在する塵埃を効率的に捕集することが可能となる。塵埃捕集フィルタ−３７の捕集効率を５０％（１００ｎｍ以上のサイズの塵埃の場合）、磁気ディスク５０の回転数を７０００ｒｐｍ、磁気ディスク５０と気流循環促進壁３１との距離を０．２ｍｍとした場合、気流内部の１００ｎｍ以上のサイズの塵埃を９０％以上取り除くのに約２．５秒以下となり、８秒あれば９９％以上の補集を実現できる。
【０１４９】
塵埃補集フィルター３７の位置は磁気ディスク５０と気流循環促進壁３１の間に、気流に対して平面方向で直交（紙面と平行な方向、図２（ａ）のＸ軸と平行）するようにかつ、できるだけ磁気記録ディスク５０に近づけて配置する。このとき、塵埃捕集フィルター３７の図５（ａ）におけるＺ軸方向の位置及び姿勢を図５（ａ）および図５（ｂ）に示す。
【０１５０】
図５（ａ）に示すように、塵埃捕集フィルター３７はＺ軸方向に垂直に固定し気流（図中の矢印の方向）に対して直交する配置としてもよい。このとき塵埃捕集フィルター３７と磁気ディスク５０は可能限り接近した配置としたほうがよい。また、塵埃捕集フィルター３７の気流循環促進壁３１への固定は樹脂または金属で構成された固定部を、接着、貼り付けまたははめ込み等により固定する構成とする。
【０１５１】
さらに図５（ｂ）に示すように塵埃捕集フィルター３７を気流に対して９０〜最小３０度程度まで傾けて固定することで、圧力損失による抵抗により気流が塵埃捕集フィルター３７を避けて通過することを防ぐことができ、一層効率的な塵埃の捕集が可能となる。
【０１５２】
このとき、気流循環促進壁３１と磁気ディスク５０のＺ軸方向の距離は磁気ディスク５０の面振れ、位置精度、共振時の振幅および塵埃補集フィルター３７の固定方法および面積などを考慮して決めることになるが、できるだけ短いほうが良く、５０μｍ〜３ｍｍ程度が最適と考える。
【０１５３】
また、気流促進壁３１は複数の壁面および部品より構成され、互いの接合部は接着剤やシールド剤などで密閉される。また、モータベース２７と気流循環促進壁３１との境界もシールド剤２８または接着剤で密閉される。気流促進壁３１は１ｍｍ〜０．１ｍｍ程度の金属板でもよいが、樹脂等の材料から構成されても問題ない。
【０１５４】
図６はディスク記録再生装置９０の全体の構成例を示す。磁気ディスク５０はキャップ６０とターンテーブル２５ではさんで固定され、スピンドルモータ（回転系）２６によって回転させられる。磁気ヘッド５１およびスライダ５２はボイスコイルモータ５５により、磁気ディスク５０の内周から外周まで移動できるようにしている。
【０１５５】
スライダ５２は磁気ディスク５０の回転により１０ｎｍ程度の浮上量で精度よく浮上している。
【０１５６】
制御回路２８は磁気ヘッド５１から受けた信号をもとに磁気ヘッドのトラッキング制御、ボイスコイルモータ５５の回転制御、スピンドルモータ２６の回転制御等を行う。また信号処理回路２９は再生信号から情報の再生を行い入出力回路３０に出力する。入出力回路３０から入ってきた信号は制御回路２８を通じて磁気ヘッド５１へ送出する。
【０１５７】
図７（ａ）は、ディスク記録再生装置９０の断面の略図を示したもので、気流循環促進壁３１、気流循環促進壁３１の接合部、スピンドルモータ２６、ボイスコイルモータ５５、磁気ディスク５０、フレーム５９、フレーム５９の天板、磁気ヘッド５１、サスペンション５３、ターンテーブル２５、キャップ６０、固定ネジ６１、シールド２８より構成されている。スピンドルモータ２６は寿命および回転精度の観点より、流体軸受を有した構成としている。図中の矢印は密閉空間５４の内部の気流の流れを示す。回路基板５８はフレーム５９の内部に配置しているが、図１（ａ）に示すようにフレーム５９の外部に配置してもよい。
【０１５８】
気流循環促進壁３１の接合部の密閉度を向上させるため、気流循環促進壁３１をフレーム５９に押し付け気流循環促進壁３１の位置精度を向上させるためにプリロードを付加し気流循環促進壁３１を上から押し、フレーム５９に押し付ける。
【０１５９】
また、塵埃捕集フィルター３７を気流促進壁３１に取り付け、磁気ディスク５０の上下に配置し、密閉空間５４の内部の塵埃を捕集する。
【０１６０】
また、磁気ディスク５０はターンテーブル２５により芯だしされるとともに、キャップ６０および固定ネジ６１により、ターンテーブル２５に固定される。このとき固定ネジ６１の本数は１本〜８本とする。固定ネジ６１の本数が多いほど細会ピッチで締結力を与えられるため、磁気ディスク５０の共振をより小さくすることが可能となり、磁気ディスク５０の回転と非同期な振動ＮＲＲＯ（Ｎｏｎ−ｒｅｐｅａｔａｂｌｅ  Ｒｕｎｏｕｔ）を低減することが可能となり、磁気ヘッド５１と磁気ディスク５０との数ｎｍ〜数十ｎｍの安定した相対位置関係を保つことができ、磁気ヘッド５１のクラッシュ、磁気ディスク５０の記録再生エラー、磁気ヘッド５１およびスライダ５２および磁気ディスク５０にキズが発生し、ディスク記録再生装置９０の記録再生性能が悪化する確率を大幅に低減する。
【０１６１】
また、図７（ｂ）に示すように、気流循環促進壁３１の一部に呼吸フィルター３９取り付ける構成とすることで密閉空間３２の内部と密閉空間３２の外部（ディスク記録再生装置９０の圧力）との圧力差を低減し、圧力差による密閉空間３２および気流循環促進壁３１の変形および密閉空間３２の内部の機構部品の変形を防ぐことで、気流循環促進壁３１の内部の寸法関係を維持することができ、信頼性の高いディスク記録再生装置９０の防塵装置およびディスク記録再生装置９０を実現することが可能となる。
【０１６２】
この呼吸フィルター３９は、塵埃捕集フィルター３７にくらべ、圧力損失が高く（繊維間隔の密なフィルター）かつ塵埃の捕集効率が高い性能を有し、密閉空間３２の内部の気圧を調整しかつ密閉空間３２の外部からの塵埃の侵入を遮断できる構成としているため、一層信頼性の高いディスク記録再生装置９０の防塵装置およびディスク記録再生装置９０を実現することが可能となる。このとき、呼吸フィルター３９の取り付け位置は密閉空間３２の内部における圧力が最も低い場所となる磁気ディスク５０の中心付近に取り付けるのが密閉空間３２の外部から空気を取り入れるのに、最も効率的な場所となる。
【０１６３】
さらに、乾燥剤３８および活性炭（有機ガス捕集フィルター）４０を密閉空間３２の内部に配置することで、密閉空間３２の内部で発生する水分や有機ガスを低減することができるため、記録および再生エラー、記録素子および再生素子のクラッシュする確率が少ない、一層安定した記録再生能力を有した、信頼性の高いディスク記録再生装置９０の防塵装置およびディスク記録再生装置９０を実現することが可能となる。
【０１６４】
また、呼吸フィルター３９と水分を吸収する乾燥剤３８および有機ガスを吸収する活性炭４０を一体とした構成とする。
【０１６５】
この構成により、密閉空間３２の内部で発生する有機ガスおよび水分、外部から浸入する水分を吸収することが可能となり、磁気ディスク５０および磁気ヘッドへの有機ガスおよび水分の付着を防ぐことが可能となり、記録ヘッドのクラッシュ等の無い信頼性の高いディスク記録再生装置９０の防塵装置およびディスク記録再生装置９０を実現することが可能となる。
【０１６６】
図８（ａ）および図８（ｂ）は気流フィードバック経路４１の構成を示した図である。
【０１６７】
図８（ａ）に示すように、モータベース２７と、磁気ディスク５０の回転により発生する気流の流路を制限する気流循環促進壁３１と、気流循環促進壁３１とモータベース２７の一部とをシールド３３を密接させることにより気流循環促進壁３１およびモータベース２７から構成される空間密閉３２を構成し、密閉空間３２の内部で磁気ディスク５０の回転により発生する気流を循環させるとともに、密閉空間３２の内部に磁気ディスク５０とスピンドルモータ２６とサスペンション５３と磁気ヘッド５１と、スライダ５２と、ボイスコイルモータ５５を包囲する構成とするとともに、気流循環促進壁３１における磁気ディスク５０の外周付近または密閉空間３２の周辺部分から磁気ディスク５０の中心部分に気流を再循環させる気流フィードバック経路４１を設けた構成としている。
【０１６８】
この気流フィードバック経路４１により、圧力分布の比較的高い密閉空間３２の隅部から圧力分布の比較的低い磁気ディスク５０の中心部に気流が流れることになる。また、この気流フィードバック経路４１により、密閉空間３２の内部で流速が遅い隅部（ボイスコイルモータ５５あるいはランプ６５が位置する付近）の気流を再循環させることが可能となり、密閉空間３２の内部の気流の循環が大きく促進され、その結果として、密閉空間３２の内部の気流の速度が大幅に増加する。密閉空間３２の内部の気流の流速が速くなることにより、気流の内部に含まれる塵埃が塵埃捕集フィルター３７を通過する割合（単位時間当たりの塵埃通過量）が増加し、密閉空間３２の内部の塵埃捕集効率が大幅に増加することになり、記録および再生エラー、記録素子および再生素子のクラッシュする確率が少ない、一層安定した記録再生能力を有した、信頼性の高いディスク記録再生装置９０の防塵装置およびディスク記録再生装置９０を実現することが可能となる。
【０１６９】
また、図８（ｂ）は気流フィードバック経路４１の流出部に塵埃捕集フィルタ−３７を構成することにより一層塵埃の捕集効率を向上させることが可能となる。
【０１７０】
図９（ａ）、図８（ｂ）および図８（ｃ）は塵埃捕集フィルタ−３７、乾燥剤３８、呼吸フィルター３９および活性炭４０の断面の略図を示したものである。矢印はそれぞれ空気の流れ（気流）をあらわしている。
【０１７１】
塵埃捕集フィルター３７は補強材とフィルターより構成され、一般的には圧力損失は３．２／ｍｉｎの流速で約５ｍｍＡｑとなり、１００ｎｍの塵埃の捕集効率は約５０％となる。
【０１７２】
呼吸フィルター３９は補強材とフィルターより構成され、一般的には圧力損失は３．２／ｍｉｎの流速で約５０ｍｍＡｑとなり、１００ｎｍの塵埃の捕集効率は約９９．９％となる。
【０１７３】
乾燥剤３８および活性炭４０は、補強材の中にそれぞれ乾燥剤（シリカゲル）および活性炭を有した構成となり、一般的には圧力損失は３．２／ｍｉｎの流速で約１５０ｍｍＡｑとなり、１００ｎｍの塵埃の捕集効率は約９９．９％となる。
【０１７４】
尚、実施の形態１において、磁気ディスク５０は１つとしたが、複数枚としても問題ないし、磁気ヘッド５１、スライダ５２、サスペンション５３およびスイングアーム５４はその枚数に応じて増えても問題ない。
【０１７５】
また、塵埃捕集フィルター３７の設置場所は、気流循環促進壁３１の上面部および下面としたが、気流循環促進壁３１の内部の任意の場所に複数個あっても問題ない。
【０１７６】
さらに、実施の形態１では記録方式は磁気記録とし、記録メディアは磁気ディスク５０としたが、レーザ光と金属アンテナをもちい、プラズモン共鳴を利用したいわゆる熱アシストの磁気記録方式を用いたディスク記録再生装置９０でも問題ない。
【０１７７】
尚、実施の形態１では、フレーム５９は金属製（アルミまたは亜鉛などのダイキャスト）としたが、気流循環制御壁３１は密閉可能で、寸法精度があれば薄い板金または樹脂としても問題ない。
【０１７８】
図９（ａ）、図８（ｂ）および図８（ｃ）は塵埃捕集フィルタ−３７、乾燥剤３８、呼吸フィルター３９および活性炭４０の断面の略図を示したものである。矢印はそれぞれ空気の流れ（気流）をあらわしている。
【０１７９】
塵埃捕集フィルター３７は補強材とフィルターより構成され、一般的には圧力損失は３．２／ｍｉｎの流速で約５ｍｍＡｑとなり、１００ｎｍの塵埃の捕集効率は約５０％となる。
【０１８０】
呼吸フィルター３９は補強材とフィルターより構成され、一般的には圧力損失は３．２／ｍｉｎの流速で約５０ｍｍＡｑとなり、１００ｎｍの塵埃の捕集効率は約９９．９％となる。
【０１８１】
乾燥剤３８および活性炭４０は、補強材の中にそれぞれ乾燥剤（シリカゲル）および活性炭を有した構成となり、一般的には圧力損失は３．２／ｍｉｎの流速で約１５０ｍｍＡｑとなり、１００ｎｍの塵埃の捕集効率は約９９．９％となる。
【０１８２】
尚、実施の形態１において、磁気ディスク５０は１つとしたが、複数枚としても問題ないし、磁気ヘッド５１、スライダ５２、サスペンション５３およびスイングアーム５４はその枚数に応じて増えても問題ない。
【０１８３】
また、塵埃捕集フィルター３７の設置場所は、気流循環促進壁３１の上面部および下面としたが、気流循環促進壁３１の内部の任意の場所に複数個あっても問題ない。
【０１８４】
さらに、実施の形態１では記録方式は磁気記録とし、記録メディアは磁気ディスク５０としたが、レーザ光と金属アンテナをもちい、プラズモン共鳴を利用したいわゆる熱アシストの磁気記録方式を用いたディスク記録再生装置９０でも問題ない。
【０１８５】
尚、実施の形態１では、フレーム５９は金属製（アルミまたは亜鉛などのダイキャスト）としたが、気流循環制御壁３１は密閉可能で、寸法精度があれば薄い板金または樹脂としても問題ない。
【０１８６】
尚、実施の形態１において気流循環促進壁３１の内部は、気流循環促進壁３１、モータベース２７、シールド３３により密閉された密閉空間３２としたが、部分的に穴や隙間等が存在する非密閉空間としてもよい。
【０１８７】
また、気流フィードバック経路４１は気流循環促進壁３１に構成されるとしたが、気流循環促進壁３１が存在しないディスク記録再生装置の構成においては、フレーム５９に１つまたは複数個を直接構成してもその効果はある。
【０１８８】
（実施の形態２）
次に、実施の形態２について図１０および図１１を用いて説明する。
【０１８９】
図１０において、６５はランプ、６６はラッチを示し、実施の形態１および実施の形態２との主な違いは、非動作時（アンロード時）にサスペンション５３、スライダ５２および磁気ヘッド５１を保持ランプ６５を気流循環促進壁３１の内部に構成し、密閉空間３２の内部にランプ６５およびラッチ６６を有した構成としたことである。
【０１９０】
磁気ヘッド５１、スライダー５２およびサスペンション５３がランプ２５０に保持された状態において、磁気ディスク５０に外部衝撃や振動が与えられると、スイングアーム５４が不必要に回転し、磁気ヘッド５１、スライダー５２および磁気ディスク５０が相互間の接触により損傷する場合がある。したがって、スライダー５２がランプ６５に保持された状態において、スイングアーム５４が不必要に回転しないように一定位置にロックされる必要があり、このためにラッチ６６を備える。
【０１９１】
また、図１１においてスイングアーム５４と、サスペンション５３と、サスペンション５３から分岐した比較的やわらかい板バネで構成されたジンバル６７とサスペンション５３に構成されたスライダ５２の支点となるディンプル７０と、スライダー５２のアンロード時にランプ６４に接触して支持されるエンドタップ６８が設けられる。エンドタップ６８のランプ６５と対向する面には、ランプ６５との接触面積を小さくすることで、摩耗を減らす凸突起６９が設けられる。
【０１９２】
アンロード時（ディスク記録再生装置９０）の作動停止時にスライダー５２が保持されるランプ６５は、磁気ディスク５０の外縁側に設けられ、気流循環促進壁３１またはフレーム５９に固設される。ランプ６５は、エンドタップ６８が磁気ディスク５０の外縁側に移動するほどエンドタップ６８が磁気ディスク５０の表面から離隔するようにする傾斜面７１と、エンドタップ６８が停止するエンドタップ停止面７２とを備える。また、エンドタップ６８がエンドタップ停止面７２に停止した状態で、保持されたスライダー５２を支持するスライダー支持面７３と、外部衝撃や振動を与えられてもエンドタップ６８がエンドタップ停止面７２から離脱しないようにする離脱防止壁７４とを備える。
【０１９３】
この構成により、エンドタップ６８の凸突起６９とランプ６５が接触して発生する塵埃も、密閉空間３２の内部の塵埃捕集フィルター３７にて捕集するため、磁気ヘッド５１のクラッシュ、磁気ディスク５０の記録再生エラー、磁気ヘッド５１およびスライダ５２および磁気ディスク５０にキズが発生し、ディスク記録再生装置９０の記録再生性能が悪化する確率を大幅に低減する。
【０１９４】
尚、実施の形態３では、情報記録媒体は磁気ディスク５０としヘッドは磁気ヘッド５１とした磁気記録としたが、磁気記録の熱アシスト記録でもよいし、光ディスク２０および半導体レーザ１を有した光記録としてもよい。
【０１９５】
（実施の形態３）
次に、実施の形態３について図１２（ａ）（ｂ）を用いて説明する。
【０１９６】
実施の形態１および実施の形態２との主な違いは、気流フィードバック経路４１を気流循環促進壁３１の上下の２箇所に配置した点である。
【０１９７】
図１２（ａ）は、実施の形態２における、塵埃の浄化時間を計算するモデル図であり、ボイスコイルモータ５５、サスペンション５３、ランプ６５等の構成要素は簡易的に表現している。このとき、塵埃捕集フィルター３７は磁気ディスク５０の上下２箇所と気流フィードバック経路４１の出口付近の２箇所の計４箇所設置した構成としている。
【０１９８】
図１２（ｂ）は図１０（ａ）の構成における塵埃の浄化濃度の推移を解析した結果であり、気流フィードバック経路４１および塵埃捕集フィルター３７を増設したことにより、一層浄化濃度を低減させる時間が低減していることがわかる。
【０１９９】
例えば、浄化濃度が１／１０（０．１）となる時間は、気流循環促進壁３１がない場合に比べ、１／１１の時間と大幅に短縮することができる。
【０２００】
この構成により、気流の内部に含まれる塵埃が塵埃捕集フィルター３７を通過する割合（単位時間当たりの塵埃通過量）が増加し、密閉空間３２の内部の塵埃捕集効率が大幅に増加することになり、記録および再生エラー、記録素子および再生素子のクラッシュする確率が少ない、一層安定した記録再生能力を有した、信頼性の高いディスク記録再生装置９０の防塵装置およびディスク記録再生装置９０を実現することが可能となる。
【０２０１】
尚、実施の形態２において、気流フィードバック経路４１を気流循環促進壁３１の上下２箇所としたが、上部に２箇所でもよいし、上下４箇所でもよい。
【０２０２】
（実施の形態４）
実施の形態１、実施の形態２および実施の形態３との主な違いは、情報記録方式が磁気記録から光記録になること、情報記録媒体が磁気ディスクから光ディスクに変わること、記録ヘッドが磁気ヘッドから光ヘッドに変わることなどが挙げられる。以下図面を用いて構成および動作を詳細に説明する。
【０２０３】
図１３において、１は半導体レーザ、５４はスイングアーム、５３はサスペンション、５２はスライダ、２２は光導波路、２３は金属アンテナ、２０は光ディスクおよび２１は相変化記録膜を示す。
【０２０４】
半導体レーザ１から発光した光束は光導波路を通じ、金属アンテナ２３に導かれ、金属アンテナ２３と相変化記録膜２１とがプラズモン共鳴を起こすことにより、局部的に温度が上昇し信号を記録することが可能となる。信号を再生する場合も同様に、金属アンテナ２３と相変化記録膜２１とがプラズモン共鳴を起こすことにより、結晶構造がクリスタルかアモルファスかにより信号のレベルが異なることにより、その信号量を受光素子（図示せず）で検出および演算することにより記録された信号を読み取ることが可能となる。
【０２０５】
この構成により、光ディスク２０を用いたディスク記録再生装置９０においても、密閉空間３２の内部の塵埃捕集効率が大幅に増加することになり、記録および再生エラー、記録素子および再生素子のクラッシュする確率が少ない、一層安定した記録再生能力を有した、信頼性の高いディスク記録再生装置９０の防塵装置およびディスク記録再生装置９０を実現することが可能となる。
【０２０６】
（実施の形態５）
次に、実施の形態５について図１４を用いて説明する。
【０２０７】
図１４において、実施の形態１〜実施の形態４との主な違いは、密閉空間３２の内部の塵埃を塵埃捕集フィルター３７により高精度に捕集する浄化モードを設けた点である。
【０２０８】
図１４は、ディスク記録再生装置９０の塵埃浄化モードを示した図である。ディスク記録再生装置９０の電源をオンした状態からオフまでの動作フローを説明する。
【０２０９】
ディスク記録再生装置９０の電源をオンにした後、あるいは停止状態から記録再生動作に入る前に塵埃浄化モードを実施する。また、記録再生動作の終了時あるいはディスク記録再生装置９０の電源がオフとなった場合にも再び塵埃浄化モードを設ける構成とする。
【０２１０】
塵埃浄化モードは、スライダー５２をランプ６５に退避した状態（いわゆるアンロード状態）にした後、スピンドルモータを数秒〜数十秒の間、５０００回転〜１万回転以上にて高速回転させる。その後スピンドルモータ２６が停止または低速回転させる。
【０２１１】
また、同様に記録再生動作の終了時あるいはディスク記録再生装置９０の電源がオフされた場合は、スピンドルモータ２６が停止し重力およびクーロン力により、磁気ディスク５０の表面、スライダー５２および磁気ヘッド５１の表面に気流循環促進壁３１の内部の存在する塵埃が付着することを防ぐために塵埃浄化モードを実施する構成とする。
【０２１２】
この塵埃浄化モードを実施することで、密閉空間３２の内部の塵埃の濃度（個数）は１／１００以下となる。
【０２１３】
この構成により、密閉空間３２の内部の塵埃を大幅に低減することとなり、磁気ヘッド５１のクラッシュ、磁気ディスク５０の記録再生エラー、磁気ヘッド５１およびスライダ５２および磁気ディスク５０にキズが発生し、ディスク記録再生装置９０の記録再生性能が悪化する確率を大幅に低減する。
【０２１４】
尚、塵埃浄化モードのトータル時間の推奨は数秒から数十秒とし、スピンドルモータ２６の高速回転、スピンドルモータ２６の低速回転およびスピンドルモータ２６の通常回転（記録再生時の回転数）の組み合わせおよび繰り返し回数は装置ごとに設定するものとする。さらにスピンドルモータ２６の回転時間は任意に設定可能とする。
【０２１５】
実施の形態５において、前記の塵埃浄化モードは記録再生動作の前後としたが記録再生動作中（いわゆるロード状態）に行っても効果が大きいことはいうまでもないし、スライダ−５２がランプ６５に退避していない状態で行ってもよい。
【０２１６】
また、この塵埃浄化モードで、乾燥剤３８および活性炭４０にて水分および有機ガスも除去できることはいうまでもない。
【０２１７】
また、実施の形態５ではディスク記録再生装置９０の電源がオフされた場合に塵埃浄化モードを行うとしたが、不意に電源コンセントを抜かれた場合でも塵埃浄化モードが行われるようにディスク記録再生装置９０の電源部分に大容量のキャパシタ（コンデンサ）を設け、数秒から数十秒の塵埃浄化モードを行える構成としてもよい。
【０２１８】
また、実施の形態５では、情報記録媒体は磁気ディスク５０としヘッドは磁気ヘッド５１とした磁気記録としたが、磁気記録の熱アシスト記録でもよいし、光ディスク２０および半導体レーザ１を有した光記録としてもよい。
【産業上の利用可能性】
【０２１９】
本発明にかかるディスク記録再生装置の除電装置およびディスク記録再生装置は、非接触で信頼性が高い塵埃捕集構成を実現することで、狭ギャップのディスク記録再生システムに応用でき、大容量の記録が可能なとなるためコンピュータの外部記憶装置等として、映像記録装置や映像再生装置等の用途にも応用できる。さらに、カーナビゲーションシステムや、携帯音楽プレーヤー、デジタルスチルカメラやデジタルビデオカメラの記憶装置の用途にも応用できる。
【０２２０】
具体的な製品分野としては、光ディスクドライブおよびハードディスクドライブのようなディスク記録再生装置の塵埃対策に関する分野（特に、塵埃取り除く技術に関する分野）、プラズモン方式の記録再生原理を用いた光ディスク記録再生装置の分野、熱アシスト記録原理を用いたハードディスクドライブの分野が挙げられる。
【符号の説明】
【０２２１】
１    半導体レーザ
２０    光ディスク
２１    相変化記録膜
２２    光導波路
２３    金属アンテナ
２５    ターンテーブル
２６    スピンドルモータ
２７    モータベース
２８    制御回路
２９    信号処理回路
３０    入出力回路
３１    気流循環促進壁
３２    密閉空間
３３    シールド
３７    塵埃捕集フィルタ−
３８    乾燥剤
３９    呼吸フィルター
４０    活性炭（有機ガス捕集フィルター）
４１    気流フィードバック経路
５０    磁気ディスク
５１    磁気ヘッド
５２    スライダ
５３    サスペンション
５４    スイングアーム
５５    ボイスコイルモータ
５６    ＦＰＣ
５７    ヘッドアンプ
５８    回路基板
５９    フレーム
６０    キャップ
６１    固定ネジ
６５    ランプ
６６    ラッチ
６７    ジンバル
６８    エンドタップ
６９    凸突起
７０    ディンプル
７１    傾斜面
７２    エンドタップ停止面
７３    スライダー支持面
７４    離脱防止壁
９０    ディスク記録再生装置
１１１    光ディスク装置
１１２    ＳＩＬ
１１２ａ    ＳＩＬ端面
１１３    非球面レンズ
１１４    レンズホルダ
１１５    集光素子
１１６    ３軸アクチュエータ
１２８    光学ヘッド
１３１    レーザダイオード
１３２    コリメータレンズ
１３３    アナモフィックプリズム
１３４    ビームスプリッタ
１３５    ウォラストンプリズム
１３６    集光レンズ
１３８    集光レンズ
１３７    フォトディテクタ
１３９    フォトディテクタ
１４０    サーボ制御系
１４１    オートパワーコントローラ
１４２    ＬＤドライバ
１４３    １／４波長板
１４４    色収差補正レンズ
１４５    拡張用レンズ
１４６    コリメータレンズ
１４７    光ディスク
１４７ａ    記録面
１４８    スピンドルモータ
１５１    ギャップサーボモジュール
１５２    トラッキングサーボモジュール
１５３    チルトサーボモジュール
１５４    スピンドルサーボモジュール
１６０    レンズクリーニング機構
１６１    クリーニングテープ
１６３    回転ドラム
１６４    回転ドラム
１６５    補助ローラ
１６６    補助ローラ
１８０    ディスククリーニング機構
１８１    支持体
１８２    クリーニング部材
２００    ＨＤＤ
２０１    ベース部材
２０５    スピンドルモータ
２０７    塵埃捕集フィルター
２１０    磁気記録媒体
２１１    記録区域
２１２    非記録区域
２１２ａ    境界領域
２１２ｂ    バンプ領域
２１３    微細バンプ
２１５    ＦＰＣブラケット
２１６    ＦＰＣ
２１８    ボイスコイルモータ
２１８ａ    マグネット２１８ａ
２１８ｂ    ヨーク
２１９    ラッチ
２２０    ＨＳＡ
２２１    スイングアーム
２２３    サスペンション
２２４    ロードビーム
２２６    湾曲部（ｆｌｅｘｕｒｅ）
２２８    ディンプル
２３０    エンドタップ
２３１    凸突起
２３７    ＶＣＭコイル
２４５    スライダー
２５０    ランプ
２５２    傾斜面
２５５    エンドタップ停止面
２５６    離脱防止壁
２５７    スライダー支持面
【図１】
2015035237.tif 000003
【図１１】
2015035237.tif 000004
【図１４】
2015035237.tif 000005
【図１５】
2015035237.tif 000006
【図１６】
2015035237.tif 000007
【図１７】
2015035237.tif 000008
【図１８】
2015035237.tif 000009
【図１９】
2015035237.tif 000010
【図２０】
2015035237.tif 000011
【図２１】
2015035237.tif 000012
【図２２】
2015035237.tif 000013
【図２】
2015035237.tif 000014
【図３】
2015035237.tif 000015
【図４】
2015035237.tif 000016
【図５】
2015035237.tif 000017
【図６】
2015035237.tif 000018
【図７】
2015035237.tif 000019
【図８】
2015035237.tif 000020
【図９】
2015035237.tif 000021
【図１０】
2015035237.tif 000022
【図１２】
2015035237.tif 000023
【図１３】
2015035237.tif 000024